(57)【要約】拾得物を管理する時間や費用を削減すること。物体が販売された場合に、販売された物体を識別する第１物体識別子と、販売された物体を購入者が遺失した場合に販売された物体の所有権が放棄されることを示す所有権放棄情報とを取得する販売情報取得部と、第１物体識別子と所有権放棄情報とを対応付けて登録する登録部と、拾得された物体を識別する第２物体識別子を取得する拾得情報取得部と、第２物体識別子と第１物体識別子とを照合する照合部と、第２物体識別子と第１物体識別子とが一致した場合に、拾得された物体の所有権が放棄されたことを通知する通知部と、を備える。
2019111808.tif 000002
【特許請求の範囲】
【請求項１】
物体が販売された場合に、前記販売された物体を識別する第１物体識別子と、前記販売された物体を購入者が遺失した場合に前記販売された物体の所有権が放棄されることを示す所有権放棄情報とを取得する販売情報取得手段と、
前記第１物体識別子と前記所有権放棄情報とを対応付けて登録する登録手段と、
拾得された物体を識別する第２物体識別子を取得する拾得情報取得手段と、
前記第２物体識別子と前記第１物体識別子とを照合する照合手段と、
前記第２物体識別子と前記第１物体識別子とが一致した場合に、前記拾得された物体の所有権が放棄されたことを通知する通知手段と、
を備える拾得物管理システム。
【請求項２】
物体が販売された場合に、前記販売された物体を識別する第１物体識別子と、前記販売された物体を購入者が遺失した場合に前記販売された物体の所有権が放棄されることを示す所有権放棄情報とを取得し、
前記第１物体識別子と前記所有権放棄情報とを対応付けて登録手段に登録し、
拾得された物体を識別する第２物体識別子を取得し、
前記第２物体識別子と前記第１物体識別子とを照合し、
前記第２物体識別子と前記第１物体識別子とが一致した場合に、前記拾得された物体の所有権が放棄されたことを通知する、
拾得物管理方法。
【請求項３】
物体が販売された場合に、前記販売された物体を識別する第１物体識別子と、前記販売された物体を購入者が遺失した場合に前記販売された物体の所有権が放棄されることを示す所有権放棄情報とを取得する販売情報取得処理と、
前記第１物体識別子と前記所有権放棄情報とを対応付けて登録する登録処理と、
拾得された物体を識別する第２物体識別子を取得する拾得情報取得処理と、
前記第２物体識別子と前記第１物体識別子とを照合する照合処理と、
前記第２物体識別子と前記第１物体識別子とが一致した場合に、前記拾得された物体の所有権が放棄されたことを通知する通知処理と、
をコンピュータに実行させる拾得物管理プログラムを記憶する記憶媒体。
【請求項４】
販売された物体を識別する第１物体識別子と、前記販売された物体を購入者が遺失した場合に前記販売された物体の所有権が放棄されることを示す所有権放棄情報とを対応付けて登録する登録手段と、
拾得された物体を識別する第２物体識別子を受信する拾得情報受信手段と、
前記第２物体識別子と前記第１物体識別子とを照合する照合手段と、
前記第２物体識別子と前記第１物体識別子とが一致した場合に、前記拾得された物体の所有権が放棄されたと判定する判定手段と、
を備える情報処理装置。
【請求項５】
前記登録手段は、さらに、前記第１物体識別子に対応付けて、前記所有権が放棄された場合に前記拾得された物体を移管する移管先を登録し、
前記所有権が放棄された前記拾得された物体の前記移管先への移管を指示する指示手段
をさらに備える請求項４に記載の情報処理装置。
【請求項６】
前記移管先は、前記拾得された物体を寄付する寄付先と、前記拾得された物体を共用する公共施設と、前記拾得された物体を製造した製造元あるいは販売した販売元と、前記拾得された物体をリサイクルするリサイクル業者と、前記拾得された物体をレンタルするレンタル業者と、を含む
請求項５に記載の情報処理装置。
【請求項７】
前記購入者による前記販売された物体の購入時に、前記第１物体識別子と前記所有権放棄情報とを物体の販売管理装置から受信する販売情報受信手段と、
前記所有権放棄情報を取得した場合に、前記購入者に特典情報を送信する特典情報送信手段と、
をさらに備える請求項４乃至６のいずれか１項に記載の情報処理装置。
【請求項８】
前記第１物体識別子および前記第２物体識別子は、前記物体に筆記具で記載された点から抽出された点識別子、前記物体に添付されたバーコードを含むコード識別子、または、前記物体の撮像画像から抽出した特徴点識別子である
請求項４乃至７のいずれか１項に記載の情報処理装置。
【請求項９】
前記登録手段は、さらに、前記第１物体識別子に対応付けて、前記所有権の放棄を開始する日時を対応付けて登録し、
前記判定手段は、前記第２物体識別子と前記第１物体識別子とが一致し、かつ、前記拾得された物体の拾得日時が前記所有権の放棄を開始する日時以降の場合に、前記拾得された物体の所有権が放棄されたと判定する
請求項４乃至８のいずれか１項に記載の情報処理装置。
【請求項１０】
販売された物体を識別する第１物体識別子と、前記販売された物体を購入者が遺失した場合に前記販売された物体の所有権が放棄されることを示す所有権放棄情報とを対応付けて登録手段に登録し、
拾得された物体を識別する第２物体識別子を受信し、
前記第２物体識別子と前記第１物体識別子とを照合し、
前記第２物体識別子と前記第１物体識別子とが一致した場合に、前記拾得された物体の所有権が放棄されたと判定する、
情報処理装置の制御方法。
【請求項１１】
さらに、前記第１物体識別子に対応付けて、前記所有権が放棄された場合に前記拾得された物体を移管する移管先を登録し、
前記所有権が放棄された前記拾得された物体の前記移管先への移管を指示する、
請求項１０に記載の制御方法。
【請求項１２】
前記移管先は、前記拾得された物体を寄付する寄付先と、前記拾得された物体を共用する公共施設と、前記拾得された物体を製造した製造元あるいは販売した販売元と、前記拾得された物体をリサイクルするリサイクル業者と、前記拾得された物体をレンタルするレンタル業者と、を含む
請求項１１に記載の制御方法。
【請求項１３】
前記購入者による前記販売された物体の購入時に、前記第１物体識別子と前記所有権放棄情報とを物体の販売管理装置から受信し、
前記所有権放棄情報を取得した場合に、前記購入者に特典情報を送信する、
請求項１０乃至１２のいずれか１項に記載の制御方法。
【請求項１４】
前記第１物体識別子および前記第２物体識別子は、前記物体に筆記具で記載された点から抽出された点識別子、前記物体に添付されたバーコードを含むコード識別子、または、前記物体の撮像画像から抽出した特徴点識別子である
請求項１０乃至１３のいずれか１項に記載の制御方法。
【請求項１５】
さらに、前記第１物体識別子に対応付けて、前記所有権の放棄を開始する日時を対応付けて登録し、
前記第２物体識別子と前記第１物体識別子とが一致し、かつ、前記拾得された物体の拾得日時が前記所有権の放棄を開始する日時以降の場合に、前記拾得された物体の所有権が放棄されたと判定する
請求項１０乃至１４のいずれか１項に記載の制御方法。
【請求項１６】
販売された物体を識別する第１物体識別子と、前記販売された物体を購入者が遺失した場合に前記販売された物体の所有権が放棄されることを示す所有権放棄情報とを対応付けて登録手段に登録する登録処理と、
拾得された物体を識別する第２物体識別子を受信する拾得情報受信処理と、
前記第２物体識別子と前記第１物体識別子とを照合する照合処理と、
前記第２物体識別子と前記第１物体識別子とが一致した場合に、前記拾得された物体の所有権が放棄されたと判定する判定処理と、
をコンピュータに実行させる情報処理プログラムを記憶する記憶媒体。
【請求項１７】
前記登録処理は、さらに、前記第１物体識別子に対応付けて、前記所有権が放棄された場合に前記拾得された物体を移管する移管先を登録し、
前記情報処理プログラムは、
前記所有権が放棄された前記拾得された物体の前記移管先への移管を指示する指示処理
をコンピュータにさらに実行させる請求項１６に記載の記憶媒体。
【請求項１８】
前記移管先は、前記拾得された物体を寄付する寄付先と、前記拾得された物体を共用する公共施設と、前記拾得された物体を製造した製造元あるいは販売した販売元と、前記拾得された物体をリサイクルするリサイクル業者と、前記拾得された物体をレンタルするレンタル業者と、を含む
請求項１７に記載の記憶媒体。
【請求項１９】
前記情報処理プログラムは、
前記購入者による前記販売された物体の購入時に、前記第１物体識別子と前記所有権放棄情報とを物体の販売管理装置から受信する販売情報受信処理と、
前記所有権放棄情報を取得した場合に、前記購入者に特典情報を送信する特典情報送信処理と、
をコンピュータにさらに実行させる請求項１６乃至１８のいずれか１項に記載の記憶媒体。
【請求項２０】
前記第１物体識別子および前記第２物体識別子は、前記物体に筆記具で記載された点から抽出された点識別子、前記物体に添付されたバーコードを含むコード識別子、または、前記物体の撮像画像から抽出した特徴点識別子である
請求項１６乃至１９のいずれか１項に記載の記憶媒体。
【請求項２１】
前記登録処理は、さらに、前記第１物体識別子に対応付けて、前記所有権の放棄を開始する日時を対応付けて登録し、
前記判定処理は、前記第２物体識別子と前記第１物体識別子とが一致し、かつ、前記拾得された物体の拾得日時が前記所有権の放棄を開始する日時以降の場合に、前記拾得された物体の所有権が放棄されたと判定する
請求項１６乃至２０のいずれか１項に記載の記憶媒体。
【請求項２２】
物体が販売された場合に、前記販売された物体を識別する第１物体識別子と、前記販売された物体を購入者が遺失した場合に前記販売された物体の所有権が放棄されることを示す所有権放棄情報とを取得する販売情報取得手段と、
前記第１物体識別子と前記所有権放棄情報とを対応付けて、情報処理装置の登録手段に登録するために前記情報処理装置に送信する販売情報送信手段と、
を備える販売管理装置。
【請求項２３】
前記所有権放棄情報が設定された場合に、前記販売された物体の購入者に特典情報を付与する付与手段
をさらに備える請求項２２に記載の販売管理装置。
【請求項２４】
前記販売情報取得手段は、さらに、前記所有権が放棄された場合に前記販売された物体を移管する移管先を取得し、
前記販売情報送信手段は、さらに、前記第１物体識別子に対応付けて前記移管先を前記情報処理装置に送信する
請求項２２または２３に記載の販売管理装置。
【請求項２５】
前記移管先は、拾得された物体を寄付する寄付先と、前記拾得された物体を共用する公共施設と、前記拾得された物体を製造した製造元あるいは販売した販売元と、前記拾得された物体をリサイクルするリサイクル業者と、前記拾得された物体をレンタルするレンタル業者と、を含む
請求項２４に記載の販売管理装置。
【請求項２６】
前記第１物体識別子は、前記販売された物体に筆記具で記載された点から抽出された点識別子、前記販売された物体に添付されたバーコードを含むコード識別子、または、前記販売された物体の撮像画像から抽出した特徴点識別子である
請求項２２乃至２５のいずれか１項に記載の販売管理装置。
【請求項２７】
前記販売情報取得手段は、
前記販売された物体に筆記具で記載された点を撮像する撮像手段と、
前記撮像された点から点識別子を抽出する抽出手段と、
前記抽出された点識別子に対応付けて、前記所有権放棄情報の入力を受け付ける入力手段と、
を有する請求項２２乃至２６のいずれか１項に記載の販売管理装置。
【請求項２８】
前記販売情報取得手段は、さらに、前記所有権の放棄を開始する日時を取得し、
前記販売情報送信手段は、さらに、前記第１物体識別子に対応付けて前記日時を前記情報処理装置に送信する
請求項２２乃至２７のいずれか１項に記載の販売管理装置。
【請求項２９】
前記販売管理装置は、ＰＯＳ(point of sale system)端末を含む
請求項２２乃至２８のいずれか１項に記載の販売管理装置。
【請求項３０】
物体が販売された場合に、前記販売された物体を識別する第１物体識別子と、前記販売された物体を購入者が遺失した場合に前記販売された物体の所有権が放棄されることを示す所有権放棄情報とを取得し、
前記第１物体識別子と前記所有権放棄情報とを対応付けて、情報処理装置の登録手段に登録するために前記情報処理装置に送信する、
販売管理装置の制御方法。
【請求項３１】
前記所有権放棄情報が設定された場合に、前記販売された物体の購入者に特典情報を付与する
請求項３０に記載の制御方法。
【請求項３２】
さらに、前記所有権が放棄された場合に前記販売された物体を移管する移管先を取得し、
さらに、前記第１物体識別子に対応付けて前記移管先を前記情報処理装置に送信する
請求項３０または３１に記載の制御方法。
【請求項３３】
前記移管先は、拾得された物体を寄付する寄付先と、前記拾得された物体を共用する公共施設と、前記拾得された物体を製造した製造元あるいは販売した販売元と、前記拾得された物体をリサイクルするリサイクル業者と、前記拾得された物体をレンタルするレンタル業者と、を含む
請求項３２に記載の制御方法。
【請求項３４】
前記第１物体識別子は、前記販売された物体に筆記具で記載された点から抽出された点識別子、前記販売された物体に添付されたバーコードを含むコード識別子、または、前記販売された物体の撮像画像から抽出した特徴点識別子である
請求項３０乃至３３のいずれか１項に記載の制御方法。
【請求項３５】
前記販売された物体に筆記具で記載された点を撮像し、
前記撮像された点から点識別子を抽出し、
前記抽出された点識別子に対応付けて、前記所有権放棄情報の入力を受け付ける、
請求項３０乃至３４いずれか１項に記載の制御方法。
【請求項３６】
さらに、前記所有権の放棄を開始する日時を取得し、
さらに、前記第１物体識別子に対応付けて前記日時を前記情報処理装置に送信する
請求項３０乃至３５のいずれか１項に記載の制御方法。
【請求項３７】
前記販売管理装置は、ＰＯＳ(point of sale system)端末を含む
請求項３０乃至３６のいずれか１項に記載の制御方法。
【請求項３８】
物体が販売された場合に、前記販売された物体を識別する第１物体識別子と、前記販売された物体を購入者が遺失した場合に前記販売された物体の所有権が放棄されることを示す所有権放棄情報とを取得する販売情報取得処理と、
前記第１物体識別子と前記所有権放棄情報とを対応付けて、情報処理装置の登録手段に登録するために前記情報処理装置に送信する販売情報送信処理と、
をコンピュータに実行させる販売管理装置の制御プログラムを記憶する記憶媒体。
【請求項３９】
前記制御プログラムは、
前記所有権放棄情報が設定された場合に、前記販売された物体の購入者に特典情報を付与する付与処理
をコンピュータにさらに実行させる請求項３８に記載の記憶媒体。
【請求項４０】
前記販売情報取得処理は、さらに、前記所有権が放棄された場合に前記販売された物体を移管する移管先を取得し、
前記販売情報送信処理は、さらに、前記第１物体識別子に対応付けて前記移管先を前記情報処理装置に送信する
請求項３８または３９に記載の記憶媒体。
【請求項４１】
前記移管先は、拾得された物体を寄付する寄付先と、前記拾得された物体を共用する公共施設と、前記拾得された物体を製造した製造元あるいは販売した販売元と、前記拾得された物体をリサイクルするリサイクル業者と、前記拾得された物体をレンタルするレンタル業者と、を含む
請求項４０に記載の記憶媒体。
【請求項４２】
前記第１物体識別子は、前記販売された物体に筆記具で記載された点から抽出された点識別子、前記販売された物体に添付されたバーコードを含むコード識別子、または、前記販売された物体の撮像画像から抽出した特徴点識別子である
請求項３８乃至４１のいずれか１項に記載の記憶媒体。
【請求項４３】
前記販売情報取得処理は、
前記販売された物体に筆記具で記載された点を撮像する撮像処理と、
前記撮像された点から点識別子を抽出する抽出処理と、
前記抽出された点識別子に対応付けて、前記所有権放棄情報の入力を受け付ける入力処理と、
を有する
請求項３８乃至４２のいずれか１項に記載の記憶媒体。
【請求項４４】
前記販売情報取得処理は、さらに、前記所有権の放棄を開始する日時を取得し、
前記販売情報送信処理は、さらに、前記第１物体識別子に対応付けて前記日時を前記情報処理装置に送信する
請求項３８乃至４３のいずれか１項に記載の記憶媒体。
【請求項４５】
前記販売管理装置は、ＰＯＳ(point of sale system)端末を含む
請求項３８乃至４４のいずれか１項に記載の記憶媒体。
【請求項４６】
拾得した物体を識別する第２物体識別子を取得する拾得情報取得手段と、
前記第２物体識別子を情報処理装置に送信する拾得情報送信手段と、
前記情報処理装置の登録手段に前記第２物体識別子と一致する販売された物体を識別する第１物体識別子が登録されている場合に前記情報処理装置から通知される、前記拾得した物体の所有権が放棄されることを示す所有権放棄情報を受信する放棄情報受信手段と、
受信した前記所有権放棄情報に基づいて、前記拾得した物体の所有権が放棄されたことを通知する放棄情報通知手段と、
を備える通信端末。
【請求項４７】
前記放棄情報受信手段は、前記所有権放棄情報と共に、前記物体の移管先を示す移管先情報を受信し、
前記放棄情報通知手段は、さらに、前記物体の移管先を通知する
請求項４６に記載の通信端末。
【請求項４８】
前記第１物体識別子および前記第２物体識別子は、前記物体に筆記具で記載された点から抽出された点識別子、前記物体に添付されたバーコードを含むコード識別子、または、前記物体の撮像画像から抽出した特徴点識別子である
請求項４６または４７に記載の通信端末。
【請求項４９】
前記拾得情報取得手段は、
前記拾得した物体に筆記具で記載された点を撮像する撮像手段と、
前記撮像された点から点識別子を抽出する抽出手段と、
を有する
請求項４６乃至４８のいずれか１項に記載の通信端末。
【請求項５０】
前記通信端末は、前記拾得した物体を取り扱う拾得物取扱所の通信端末、または、スマートフォンを含む通信端末である
請求項４６乃至４９のいずれか１項に記載の通信端末。
【請求項５１】
前記通信端末は、スマートフォンを含む通信端末であって、
前記第２物体識別子の送信、または、前記拾得した物体の移管先への移管に対する特典情報を取得する特典情報取得手段を、さらに備える
請求項４８に記載の通信端末。
【請求項５２】
拾得した物体を識別する第２物体識別子を取得し、
前記第２物体識別子を情報処理装置に送信し、
前記情報処理装置の登録手段に前記第２物体識別子と一致する販売された物体を識別する第１物体識別子が登録されている場合に前記情報処理装置から通知される、前記拾得した物体の所有権が放棄されることを示す所有権放棄情報を受信し、
受信した前記所有権放棄情報に基づいて、前記拾得した物体の所有権が放棄されたことを通知する、
通信端末の制御方法。
【請求項５３】
前記所有権放棄情報と共に、前記物体の移管先を示す移管先情報を受信し、
さらに、前記物体の移管先を通知する
請求項５２に記載の制御方法。
【請求項５４】
前記第１物体識別子および前記第２物体識別子は、前記物体に筆記具で記載された点から抽出された点識別子、前記物体に添付されたバーコードを含むコード識別子、または、前記物体の撮像画像から抽出した特徴点識別子である
請求項５２または５３に記載の制御方法。
【請求項５５】
前記拾得した物体に筆記具で記載された点を撮像し、
前記撮像された点から点識別子を抽出する、
請求項５２乃至５４のいずれか１項に記載の制御方法。
【請求項５６】
前記通信端末は、前記拾得した物体を取り扱う拾得物取扱所の通信端末、または、スマートフォンを含む通信端末である
請求項５２乃至５５のいずれか１項に記載の制御方法。
【請求項５７】
前記通信端末は、スマートフォンを含む通信端末であって、
前記第２物体識別子の送信、または、前記拾得した物体の移管先への移管に対する特典情報を取得する
請求項５４に記載の制御方法。
【請求項５８】
拾得した物体を識別する第２物体識別子を取得する拾得情報取得処理と、
前記第２物体識別子を情報処理装置に送信する拾得情報送信処理と、
前記情報処理装置の登録手段に前記第２物体識別子と一致する販売された物体を識別する第１物体識別子が登録されている場合に前記情報処理装置から通知される、前記拾得した物体の所有権が放棄されることを示す所有権放棄情報を受信する放棄情報受信処理と、
受信した前記所有権放棄情報に基づいて、前記拾得した物体の所有権が放棄されたことを通知する放棄情報通知処理と、
をコンピュータに実行させる通信端末のアプリケーションプログラムを記憶する記憶媒体。
【請求項５９】
前記放棄情報受信処理においては、前記所有権放棄情報と共に、前記物体の移管先を示す移管先情報を受信し、
前記放棄情報通知処理においては、さらに、前記物体の移管先を通知する
請求項５８に記載の記憶媒体。
【請求項６０】
前記第１物体識別子および前記第２物体識別子は、前記物体に筆記具で記載された点から抽出された点識別子、前記物体に添付されたバーコードを含むコード識別子、または、前記物体の撮像画像から抽出した特徴点識別子である
請求項５８または５９に記載の記憶媒体。
【請求項６１】
前記拾得情報取得処理は、
前記拾得した物体に筆記具で記載された点を撮像手段で撮像する撮像処理と、
前記撮像された点から点識別子を抽出する抽出処理と、
を含む
請求項５８乃至６０のいずれか１項に記載の記憶媒体。
【請求項６２】
前記通信端末は、前記拾得した物体を取り扱う拾得物取扱所の通信端末、または、スマートフォンを含む通信端末である
請求項５８乃至６１のいずれか１項に記載の記憶媒体。
【請求項６３】
前記通信端末は、スマートフォンを含む通信端末であって、
前記アプリケーションプログラムは、
前記第２物体識別子の送信、または、前記拾得した物体の前記移管先への移管に対応する特典情報を取得する特典情報取得処理
をさらにコンピュータに実行させる請求項６０に記載の記憶媒体。
【発明の詳細な説明】
【技術分野】
【０００１】
本発明は、拾得物を管理する技術等に関する。
【背景技術】
【０００２】
上記技術分野において、特許文献１には、連絡先情報を含むカラーコードを登録しておき、カラーコードを利用して情報端末利用者が遺失物の遺失者本人であることを確認して、拾得物の遺失者への受け渡しを許諾する技術が開示されている。また、特許文献２には、物品ＩＤと物品が拾得された場合に支払うポイントとを記憶し、拾得者が拾得した物品の物品ＩＤが一致すればポイントを支払う技術が開示されている。
【先行技術文献】
【特許文献】
【０００３】
【特許文献１】特開２０１６−１１８８９８号公報
【特許文献２】特開２０１７−０８４０３２号公報
【特許文献３】国際公開第２０１７／００２４７５号
【特許文献４】国際公開第２０１７／０４７３０６号
【発明の概要】
【発明が解決しようとする課題】
【０００４】
しかしながら、上記文献に記載の技術では、遺失物を拾得した場合に、その拾得物を、所有者本人を見付けて戻すこと、そのため所有者本人を探す作業や、所有者本人が見付からない場合に、一定期間、拾得物を保管する作業などに、多くの時間や費用を浪費していた。【０００５】
本発明の目的は、上述の課題を解決する技術を提供することにある。
【課題を解決するための手段】
【０００６】
上記目的を達成するため、本発明の一態様に係る拾得物管理システムは、物体が販売された場合に、前記販売された物体を識別する第１物体識別子と、前記販売された物体を購入者が遺失した場合に前記販売された物体の所有権が放棄されることを示す所有権放棄情報とを取得する販売情報取得手段と、前記第１物体識別子と前記所有権放棄情報とを対応付けて登録する登録手段と、拾得された物体を識別する第２物体識別子を取得する拾得情報取得手段と、前記第２物体識別子と前記第１物体識別子とを照合する照合手段と、前記第２物体識別子と前記第１物体識別子とが一致した場合に、前記拾得された物体の所有権が放棄されたことを通知する通知手段と、を備える。【０００７】
上記目的を達成するため、本発明の一態様に係る拾得物管理方法は、物体が販売された場合に、前記販売された物体を識別する第１物体識別子と、前記販売された物体を購入者が遺失した場合に前記販売された物体の所有権が放棄されることを示す所有権放棄情報とを取得し、前記第１物体識別子と前記所有権放棄情報とを対応付けて登録手段に登録し、拾得された物体を識別する第２物体識別子を取得し、前記第２物体識別子と前記第１物体識別子とを照合し、前記第２物体識別子と前記第１物体識別子とが一致した場合に、前記拾得された物体の所有権が放棄されたことを通知する。【０００８】
上記目的を達成するため、本発明の一態様に係る拾得物管理プログラムは、物体が販売された場合に、前記販売された物体を識別する第１物体識別子と、前記販売された物体を購入者が遺失した場合に前記販売された物体の所有権が放棄されることを示す所有権放棄情報とを取得する販売情報取得処理と、前記第１物体識別子と前記所有権放棄情報とを対応付けて登録する登録処理と、拾得された物体を識別する第２物体識別子を取得する拾得情報取得処理と、前記第２物体識別子と前記第１物体識別子とを照合する照合処理と、前記第２物体識別子と前記第１物体識別子とが一致した場合に、前記拾得された物体の所有権が放棄されたことを通知する通知処理と、をコンピュータに実行させる。【０００９】
上記目的を達成するため、本発明の一態様に係る情報処理装置は、販売された物体を識別する第１物体識別子と、前記販売された物体を購入者が遺失した場合に前記販売された物体の所有権が放棄されることを示す所有権放棄情報とを対応付けて登録する登録手段と、拾得された物体を識別する第２物体識別子を受信する拾得情報受信手段と、前記第２物体識別子と前記第１物体識別子とを照合する照合手段と、前記第２物体識別子と前記第１物体識別子とが一致した場合に、前記拾得された物体の所有権が放棄されたと判定する判定手段と、を備える。【００１０】
上記目的を達成するため、本発明の一態様に係る情報処理装置の制御方法は、販売された物体を識別する第１物体識別子と、前記販売された物体を購入者が遺失した場合に前記販売された物体の所有権が放棄されることを示す所有権放棄情報とを対応付けて登録手段に登録し、拾得された物体を識別する第２物体識別子を受信し、前記第２物体識別子と前記第１物体識別子とを照合し、前記第２物体識別子と前記第１物体識別子とが一致した場合に、前記拾得された物体の所有権が放棄されたと判定する。【００１１】
上記目的を達成するため、本発明の一態様に係る情報処理プログラムは、販売された物体を識別する第１物体識別子と、前記販売された物体を購入者が遺失した場合に前記販売された物体の所有権が放棄されることを示す所有権放棄情報とを対応付けて登録手段に登録する登録処理と、拾得された物体を識別する第２物体識別子を受信する拾得情報受信処理と、前記第２物体識別子と前記第１物体識別子とを照合する照合処理と、前記第２物体識別子と前記第１物体識別子とが一致した場合に、前記拾得された物体の所有権が放棄されたと判定する判定処理と、をコンピュータに実行させる。【００１２】
上記目的を達成するため、本発明の一態様に係る販売管理装置は、物体が販売された場合に、前記販売された物体を識別する第１物体識別子と、前記販売された物体を購入者が遺失した場合に前記販売された物体の所有権が放棄されることを示す所有権放棄情報とを取得する販売情報取得手段と、前記第１物体識別子と前記所有権放棄情報とを対応付けて、情報処理装置の登録手段に登録するために前記情報処理装置に送信する販売情報送信手段と、を備える。【００１３】
上記目的を達成するため、本発明の一態様に係る販売管理装置の制御方法は、物体が販売された場合に、前記販売された物体を識別する第１物体識別子と、前記販売された物体を購入者が遺失した場合に前記販売された物体の所有権が放棄されることを示す所有権放棄情報とを取得し、前記第１物体識別子と前記所有権放棄情報とを対応付けて、情報処理装置の登録手段に登録するために前記情報処理装置に送信する。【００１４】
上記目的を達成するため、本発明の一態様に係る販売管理装置の制御プログラムは、物体が販売された場合に、前記販売された物体を識別する第１物体識別子と、前記販売された物体を購入者が遺失した場合に前記販売された物体の所有権が放棄されることを示す所有権放棄情報とを取得する販売情報取得処理と、前記第１物体識別子と前記所有権放棄情報とを対応付けて、情報処理装置の登録手段に登録するために前記情報処理装置に送信する販売情報送信処理と、をコンピュータに実行させる。【００１５】
上記目的を達成するため、本発明の一態様に係る通信端末は、拾得した物体を識別する第２物体識別子を取得する拾得情報取得手段と、前記第２物体識別子を情報処理装置に送信する拾得情報送信手段と、前記情報処理装置の登録手段に前記第２物体識別子と一致する販売された物体を識別する第１物体識別子が登録されている場合に前記情報処理装置から通知される、前記拾得した物体の所有権が放棄されることを示す所有権放棄情報を受信する放棄情報受信手段と、受信した前記所有権放棄情報に基づいて、前記拾得した物体の所有権が放棄されたことを通知する放棄情報通知手段と、を備える。【００１６】
上記目的を達成するため、本発明の一態様に係る通信端末の制御方法は、拾得した物体を識別する第２物体識別子を取得し、前記第２物体識別子を情報処理装置に送信し、前記情報処理装置の登録手段に前記第２物体識別子と一致する販売された物体を識別する第１物体識別子が登録されている場合に前記情報処理装置から通知される、前記拾得した物体の所有権が放棄されることを示す所有権放棄情報を受信し、受信した前記所有権放棄情報に基づいて、前記拾得した物体の所有権が放棄されたことを通知する。【００１７】
上記目的を達成するため、本発明の一態様に係る通信端末のアプリケーションプログラムは、拾得した物体を識別する第２物体識別子を取得する拾得情報取得処理と、前記第２物体識別子を情報処理装置に送信する拾得情報送信処理と、前記情報処理装置の登録手段に前記第２物体識別子と一致する販売された物体を識別する第１物体識別子が登録されている場合に前記情報処理装置から通知される、前記拾得した物体の所有権が放棄されることを示す所有権放棄情報を受信する放棄情報受信処理と、受信した前記所有権放棄情報に基づいて、前記拾得した物体の所有権が放棄されたことを通知する放棄情報通知処理と、をコンピュータに実行させる。【００１８】
本発明の一態様は、上述の、拾得物管理プログラム、情報処理プログラム、又は、通信端末のアプリケーションプログラムを記憶する記憶媒体によっても実現される。
【発明の効果】
【００１９】
本発明によれば、拾得物を管理する時間や費用を削減することができる。
【図面の簡単な説明】
【００２０】
【図１】本発明の第１実施形態に係る拾得物管理システムの構成を示すブロック図である。
【図２Ａ】本発明の全実施形態に係る拾得物管理システムを用いた社会モデルを示す図である。
【図２Ｂ】本発明の第２実施形態に係る拾得物管理システムの概要を示す図である。
【図２Ｃ】本発明の第２実施形態に係る拾得物管理システムの概要を示す図である。
【図２Ｄ】本発明の第２実施形態に係る拾得物管理システムの概要を示す図である。
【図２Ｅ】本発明の第２実施形態に係る拾得物管理システムで使用される物体識別子を示す図である。
【図３Ａ】本発明の第２実施形態に係る拾得物管理システムの動作手順を示すシーケンス図である。
【図３Ｂ】本発明の第２実施形態に係る拾得物管理システムの他の動作手順を示すシーケンス図である。
【図４】本発明の第２実施形態に係る情報処理装置としての拾得物管理サーバの機能構成を示すブロック図である。
【図５】本発明の第２実施形態に係る拾得物管理データベースの構成を示す図である。
【図６】本発明の第２実施形態に係る販売管理装置の機能構成を示すブロック図である。
【図７】本発明の第２実施形態に係る拾得物管理装置の機能構成を示すブロック図である。
【図８】本発明の第２実施形態に係る情報処理装置としての拾得物管理サーバのハードウェア構成を示すブロック図である。
【図９】本発明の第２実施形態に係る情報処理装置としての拾得物管理サーバの処理手順を示すフローチャートである。
【図１０】本発明の第２実施形態に係る販売管理装置のハードウェア構成を示すブロック図である。
【図１１】本発明の第２実施形態に係る販売管理装置の処理手順を示すフローチャートである。
【図１２】本発明の第２実施形態に係る拾得物管理装置のハードウェア構成を示すブロック図である。
【図１３】本発明の第２実施形態に係る拾得物管理装置の処理手順を示すフローチャートである。
【図１４】本発明の第３実施形態に係る拾得物管理システムの概要を示す図である。
【図１５】本発明の第３実施形態に係る拾得物管理システムの動作手順を示すシーケンス図である。
【図１６】本発明の第３実施形態に係る情報処理装置としての拾得物管理サーバの機能構成を示すブロック図である。
【図１７】本発明の第３実施形態に係る拾得物管理データベースの構成を示す図である。
【図１８】本発明の第３実施形態に係る情報処理装置としての拾得物管理サーバの処理手順を示すフローチャートである。
【図１９】本発明の第３実施形態に係る販売管理装置の機能構成を示すブロック図である。
【図２０】本発明の第３実施形態に係る販売管理装置の処理手順を示すフローチャートである。
【図２１】本発明の第３実施形態に係る拾得物管理装置の機能構成を示すブロック図である。
【図２２】本発明の第３実施形態に係る拾得物管理装置の処理手順を示すフローチャートである。
【図２３】本発明の第４実施形態に係る拾得物管理システムの動作手順を示すシーケンス図である。
【図２４】本発明の第４実施形態に係る情報処理装置としての拾得物管理サーバの機能構成を示すブロック図である。
【図２５】本発明の第４実施形態に係る拾得物管理データベースの構成を示す図である。
【図２６】本発明の第４実施形態に係る情報処理装置としての拾得物管理サーバの処理手順を示すフローチャートである。
【図２７】本発明の第５実施形態に係る拾得物管理システムの概要を示す図である。
【図２８】本発明の第５実施形態に係る拾得物管理システムの動作手順を示すシーケンス図である。
【図２９】本発明の第５実施形態に係る拾得物管理装置としてのスマートフォンの機能構成を示すブロック図である。
【図３０】本発明の第５実施形態に係る拾得物管理装置としてのスマートフォンのハードウェア構成を示すブロック図である。
【図３１】本発明の第５実施形態に係る拾得物管理装置としてのスマートフォンの処理手順を示すフローチャートである。
【発明を実施するための形態】
【００２１】
以下に、図面を参照して、本発明の実施の形態について例示的に詳しく説明する。ただし、以下の実施の形態に記載されている構成要素は単なる例示であり、本発明の技術範囲をそれらのみに限定する趣旨のものではない。
【００２２】
［第１実施形態］
本発明の第１実施形態としての拾得物管理システム１００について、図１を用いて説明する。拾得物管理システム１００は、拾得物の取扱を管理するシステムである。
【００２３】
図１に示すように、拾得物管理システム１００は、販売情報取得部１０１と、所有権放棄情報登録部１０２と、拾得情報取得部１０３と、照合部１０４と、所有権放棄通知部１０５と、を含む。販売情報取得部１０１は、物体が販売された場合に、販売された物体を識別する第１物体識別子と、販売された物体を購入者が遺失した場合に販売された物体の所有権が放棄されることを示す所有権放棄情報とを取得する。所有権放棄情報登録部１０２は、第１物体識別子１２１と所有権放棄情報１２２とを対応付けて登録する。拾得情報取得部１０３は、拾得された物体を識別する第２物体識別子を取得する。照合部１０４は、第２物体識別子と前記第１物体識別子とを照合する。所有権放棄通知部１０５は、第２物体識別子と第１物体識別子とが一致した場合に、前記拾得された物体の所有権が放棄されたことを通知する。
【００２４】
本実施形態によれば、販売された物体を購入者が遺失した場合に販売された物体の所有権が放棄されることを示す所有権放棄情報を販売時に設定しておくので、拾得物を管理する時間や費用を削減することができる。
【００２５】
［第２実施形態］
次に、本発明の第２実施形態に係る拾得物管理システムについて説明する。本実施形態に係る拾得物管理システムは、物体の販売時に、販売された物体を購入者が遺失した場合に販売された物体の所有権が放棄されることを示す所有権放棄情報を、物体を識別する物体識別子に対応付けて拾得物管理サーバの拾得物管理データベースに登録する。そして、拾得者が拾得した拾得物の物体を識別する物体識別子を取得して、拾得物管理データベースに登録された物体識別子と照合する。拾得物の物体識別子と購入者が登録した物体識別子とが一致すれば販売された物体の所有権が放棄されているので、拾得者あるいは拾得物を取り扱う取扱者は拾得物を自分の判断で処分することができる。なお、物体識別子としては、物体のサイズや材質などにより、バーコードによる識別子や、点の微小粒分布や、物体の特徴量などが好適に選択されて用いられてよい。また、物体識別子は、その差が所定閾値以内であれば一致と判定してもよい。
【００２６】
《拾得物管理システム》
図２Ａ〜図３Ｂを参照して、本実施形態に係る拾得物管理システムの構成および動作について説明する。
【００２７】
（社会モデル）
図２Ａは、本実施形態に係る拾得物管理システム２００を用いた社会モデルを示す図である。なお、図２Ａにおいて、販売され遺失され拾得される物体として傘を例に説明するが、拾得物は傘に限定されるものではない。
【００２８】
拾得物管理システム２００においては、複数の拾得物取扱所２３０に拾得物として多数の傘が持ち込まれる。これら傘は、拾得者により持ち込まれたり、建物の管理者、あるいは交通機関の関係者、あるいは、警察などから持ち込まれたりする。拾得物取扱所２３０では、本実施形態に従い傘に付与された物体識別情報から物体識別子を生成して、所有権放棄情報が対応付けられて販売時に登録された物体識別子と照合することにより、所有権が放棄された傘と、所有権が維持された（放棄されてない）傘とを振り分ける。そして、所有権が維持された傘は、拾得物保管所２４０で一定期間保管される。
【００２９】
一方、所有権が放棄された傘は、拾得者あるいは拾得物取扱所２３０の取扱者の判断で、あるいは、後述の第３実施形態で示すように、遺失者が指定した移管先２５０に移管される。移管先２５０としては、例えば、拾得者２５１による使用、寄付先２５２への寄付、公共施設２５３への寄付、製造元や販売元２５４への返却、リサイクル業者やレンタル業者２５５への譲渡、または、廃棄２５６が含まれる。なお、拾得物保管所２４０で一定期間保管されても、遺失者による引き取りが無い場合は、拾得物保管所２４０の取扱者の判断で処分される。
【００３０】
さらに、移管先２５０での使用中に遺失した場合には、再度、拾得物取扱所２３０から移管先２５０への拾得物保管所２４０での保管による遅延の無い物の循環により、少ない資源を有効利用可能なシェア（共有）社会に結び付けることができる。また、再度拾得された物体に対して、異なる移管先を設定することで変化に富んだ循環が可能である。
【００３１】
（概要）
図２Ｂは、本実施形態に係る拾得物管理システム２０１の概要を示す図である。拾得物管理システム２０１においては、物体識別子としてバーコードによるコード識別子を用いる。
【００３２】
拾得物管理システム２０１は、複数の販売拠点にある販売管理装置２１１〜２１３と、情報処理装置としての拾得物管理サーバ２２０と、複数の拾得物取扱所にある拾得物管理装置２３１〜２３２と、を備える。なお、販売管理装置２１１〜２１３や拾得物管理装置２３１〜２３２は、通信端末とバーコードリーダやカメラなどの識別情報入力部とを含む。
【００３３】
販売管理装置２１１〜２１３においては、販売された物体である折り畳み傘、普通の傘、自転車などに貼られたバーコードをバーコードリーダで読み取って物体識別子とし、これらの販売された物体を遺失した場合にその所有権を放棄する所有権放棄情報を設定する。物体識別子と所有権放棄情報とは対応付けられて拾得物管理サーバ２２０に送信され、拾得物管理データベース２２１に登録される。
【００３４】
一方、拾得物管理装置２３１〜２３２においては、拾得物に貼られたバーコードをバーコードリーダで読み取って物体識別子とし、この物体識別子を拾得物管理サーバ２２０に送信する。拾得物管理サーバ２２０では、拾得物管理装置２３１〜２３２から受信された物体識別子と、拾得物管理データベース２２１に登録された物体識別子とを照合する。そして、受信された物体識別子と登録された物体識別子とが一致していれば、拾得物管理データベース２２１に物体識別子に対応付けて登録されている所有権放棄情報を読み出して、拾得物管理装置２３１や２３２に送信する。なお、物体識別子は、その差が所定閾値以内であれば一致と判定してもよい。
【００３５】
図２Ｂにおいて、拾得物管理装置２３１は一致する物体識別子が所有権放棄情報を有するので、表示画面には“所有権は放棄されています”とのメッセージが表示されて、所有権の放棄が通知される。拾得物取扱所の取扱者は所有権放棄を確認して、拾得物の傘を拾得物保管所２４０に保管することなく自分の判断で処分する。拾得物管理装置２３２は一致する物体識別子が登録されていない、あるいは、所有権放棄情報を有しないので、表示画面には“所有権は維持されています”とのメッセージが表示されて、所有権の維持が通知される。拾得物取扱所の取扱者は所有権維持を確認して、拾得物の本を拾得物保管所２４０に保管し、遺失者の発見を待つ。
【００３６】
図２Ｃは、本実施形態に係る拾得物管理システム２０２の概要を示す図である。拾得物管理システム２０２においては、物体識別子として物体に記載した点の撮像画像から抽出した点識別子を用いる。なお、図２Ｃにおいて、図２Ｂと同様の構成要素には同じ参照番号を付す。
【００３７】
拾得物管理システム２０２は、複数の販売拠点にある販売管理装置２１４〜２１６と、情報処理装置としての拾得物管理サーバ２２０と、複数の拾得物取扱所にある拾得物管理装置２３３〜２３４と、を備える。
【００３８】
販売管理装置２１４〜２１６においては、販売された物体である折り畳み傘、普通の傘、自転車などに記載された点を高解像度カメラで読み取って、点から抽出した点識別子を物体識別子とし、これらの販売された物体を遺失した場合にその所有権を放棄する所有権放棄情報を設定する。物体識別子と所有権放棄情報とは対応付けられて拾得物管理サーバ２２０に送信され、拾得物管理データベース２２１に登録される。
【００３９】
一方、拾得物管理装置２３３〜２３４においては、拾得物に記載された点を高解像度カメラで読み取って、点から抽出した点識別子を物体識別子とし、この物体識別子を拾得物管理サーバ２２０に送信する。拾得物管理サーバ２２０では、拾得物管理装置２３３〜２３４から受信された物体識別子と、拾得物管理データベース２２１に登録された物体識別子とを照合する。そして、受信された物体識別子と登録された物体識別子とが一致していれば、拾得物管理データベース２２１に物体識別子に対応付けて登録されている所有権放棄情報を読み出して、拾得物管理装置２３３や２３４に送信する。
【００４０】
図２Ｃにおいて、拾得物管理装置２３３は一致する物体識別子が所有権放棄情報を有するので、表示画面には“所有権は放棄されています”とのメッセージが表示されて、所有権の放棄が通知される。拾得物取扱所の取扱者は所有権放棄を確認して、拾得物の傘を拾得物保管所２４０に保管することなく自分の判断で処分する。拾得物管理装置２３４は一致する物体識別子が登録されていない、あるいは、所有権放棄情報を有しないので、表示画面には“所有権は維持されています”とのメッセージが表示されて、所有権の維持が通知される。拾得物取扱所の取扱者は所有権維持を確認して、拾得物の本を拾得物保管所２４０に保管し、遺失者の発見を待つ。
【００４１】
図２Ｄは、本実施形態に係る拾得物管理システム２０３の概要を示す図である。拾得物管理システム２０３においては、物体識別子として物体に記載あるいは刻印された製品番号あるいは製造番号を用いる。なお、図２Ｄにおいて、図２Ｂや図２Ｃと同様の構成要素には同じ参照番号を付す。
【００４２】
拾得物管理システム２０３は、複数の販売拠点にある販売管理装置２１７〜２１９と、情報処理装置としての拾得物管理サーバ２２０と、複数の拾得物取扱所にある拾得物管理装置２３５〜２３６と、を備える。
【００４３】
販売管理装置２１７〜２１９においては、販売された物体である折り畳み傘、普通の傘、自転車などに記載または刻印された製品番号を高解像度カメラで読み取って、画像から認識した製品番号を物体識別子とし、これらの販売された物体を遺失した場合にその所有権を放棄する所有権放棄情報を設定する。物体識別子と所有権放棄情報とは対応付けられて拾得物管理サーバ２２０に送信され、拾得物管理データベース２２１に登録される。
【００４４】
一方、拾得物管理装置２３５〜２３６においては、拾得物に記載または刻印された製品番号を高解像度カメラで読み取って、画像から認識した製品番号を物体識別子とし、この物体識別子を拾得物管理サーバ２２０に送信する。拾得物管理サーバ２２０では、拾得物管理装置２３５〜２３６から受信された物体識別子と、拾得物管理データベース２２１に登録された物体識別子とを照合する。そして、受信された物体識別子と登録された物体識別子とが一致していれば、拾得物管理データベース２２１に物体識別子に対応付けて登録されている所有権放棄情報を読み出して、拾得物管理装置２３５や２３６に送信する。
【００４５】
図２Ｄにおいて、拾得物管理装置２３５は一致する物体識別子が所有権放棄情報を有するので、表示画面には“所有権は放棄されています”とのメッセージが表示されて、所有権の放棄が通知される。拾得物取扱所の取扱者は所有権放棄を確認して、拾得物の傘を拾得物保管所２４０に保管することなく自分の判断で処分する。拾得物管理装置２３６は一致する物体識別子が登録されていない、あるいは、所有権放棄情報を有しないので、表示画面には“所有権は維持されています”とのメッセージが表示されて、所有権の維持が通知される。拾得物取扱所の取扱者は所有権維持を確認して、拾得物の本を拾得物保管所２４０に保管し、遺失者の発見を待つ。
【００４６】
なお、所有権放棄情報を設定する物体は、図２Ｂ〜図２Ｄに図示された傘、自転車、本に限定されず、筆記具などを含む共用可能な物体であればよい。例えば、身に付けるメガネや服なども、リサイクル処置を施すことで共用可能となる。さらに、食物なども正味期限内であれば移管可能なものもある。また、物体識別子は、図２Ｂ〜図２Ｄに限定されず、物体の１つ１つを特定する識別子を生成できるものが使用される。例えば、物体を撮像して抽出した特徴量を使用することも可能である。
【００４７】
（使用可能な物体識別子）
図２Ｅは、本実施形態に係る拾得物管理システム２００で使用される物体識別子を示す図である。
【００４８】
図２Ｅの上図は、本実施形態で使用される物体識別子の例を示す物体識別子テーブル２６０である。物体識別子テーブル２６０は、物体識別子用識別情報を添付する物体（製品）２６１に対応付けて、各物体（製品）２６１に望ましい物体識別子用識別情報２６２と、物体識別子用識別情報２６２から生成される物体識別子２６３と、物体識別子２６３の生成方法２６４と、を記憶する。物体識別子用識別情報２６２は、物体（製品）２６１に貼られた１次元あるいは２次元のバーコード、物体（製品）２６１に記載された点、物体（製品）２６１そのものから抽出した特徴点識別子、などを含む。そして、物体識別子２６３としては、コード識別子、点識別子、物体（製品）２６１に印刷あるいは刻印された製造番号や製品番号、製品の撮像画像などから抽出された特徴量、などが対応する。なお、各物体（製品）２６１と望ましい物体識別子用識別情報２６２との関連は、各物体（製品）２６１のサイズや材質、色などを考慮して選択されればよい。物体識別子テーブル２６０の各行２６５〜２６８は、各々の物体（製品）と使用される物体識別子との概略を示している。
【００４９】
（点識別子抽出方法）
図２Ｅの下図の点識別子テーブル２６６は、さらに、本実施形態において好適な、物体（所有物）上に筆記具で記載した点から抽出する点識別子の例を示す図である。なお、点識別子を抽出可能な点の記載方法は図２Ｅに限定されない。
【００５０】
点の記載材料２７１としては、微小粒を含む材料（以下、インクパターンとも言う）、表面反射や色模様に特徴がある材料、媒体（紙）の模様が透過する材料、媒体（紙）上のにじみが出る材料、などがある。それぞれの、点の記載媒体２７２の制限や点の撮像方法２７３の相違、点識別子としての点画像の特徴量抽出方法２７４は図示のようになる。以下、本実施形態では、広範囲の媒体に点識別子を抽出可能な点を記載でき、撮像部が携帯可能で撮像画像が安定し、かつ、識別可能な点識別子が容易に抽出可能な材料として、微小粒を含む材料を使用する。しかしながら、点の材料や点の記載方法、点の撮像方法、点識別子の抽出方法はこれに限定されず、識別可能な点識別子を生成できるものであれば、図２Ｅに記載のものであっても、その他のものであってもよい。
【００５１】
なお、微小粒を含む材料による点からの点識別子の抽出については、例えば、特許文献３または特許文献４にその詳細が開示されている。
【００５２】
（動作シーケンス）
図３Ａは、本実施形態に係る拾得物管理システム２００の動作手順を示すシーケンス図である。図３Ａは、物体の販売以前に、物体の製造所（製造工場）や流通において物体識別子を生成可能な識別情報を付与する、拾得物管理システム２００の動作シーケンスである。
【００５３】
拾得物管理システム２００の動作準備として、ステップＳ３０１において、物体に物体識別子を生成可能な識別情報の付与を行なう。例えば、バーコードであれば物体に貼り付け、点であれば物体に記載し、製品番号や製造番号であれば物体に印刷あるいは刻印する。そして、ステップＳ３０３において、物体識別子を生成可能な識別情報が付与された物体が商品として出荷される。
【００５４】
販売時の所有権放棄情報の登録について説明する。販売管理装置２１０に含まれる販売管理端末としてのＰＯＳ(point of sale system)端末は、ステップＳ３１１において、物体識別子を生成可能な識別情報が付与された物体の精算処理を行なう。そして、接続された識別情報入力部としてのカメラ（あるいはバーコードリーダなど）により、ステップＳ３１３において、物体識別子生成用の識別情報を取得する。ＰＯＳ端末は、ステップＳ３１５において、取得した識別情報から物体識別子を生成する。そして、ＰＯＳ端末は、ステップＳ３１７において、顧客への問い合わせに対する応答として、販売された物体を遺失して拾得された場合に所有権を放棄する旨の情報を取得する。ＰＯＳ端末は、ステップＳ３１９において、生成した物体識別子と所有権放棄情報とを対応付けて拾得物管理サーバ２２０に送信する。拾得物管理サーバ２２０は、ステップＳ３２１において、受信した物体識別子と所有権放棄情報とを対応付けて拾得物管理データベース２２１に登録する。
【００５５】
遺失物が拾得されて拾得物取扱所に届けられた場合の拾得物管理について説明する。以下の説明では、拾得物取扱所２３０にある拾得物管理装置を、拾得物取扱所の符号と同じ符号を使用して、「拾得物管理装置２３０」と表記する。拾得物管理装置２３０に含まれる拾得物管理端末は、ステップＳ３３１において、接続された識別情報入力部としてのカメラ（あるいはバーコードリーダなど）により、物体識別子生成用の識別情報を取得する。拾得物管理端末は、ステップＳ３３３において、取得した識別情報から物体識別子を生成する。そして、拾得物管理端末は、ステップＳ３３５において、生成した物体識別子を拾得物管理サーバ２２０に送信する。拾得物管理サーバ２２０は、ステップＳ３３７において、拾得物管理データベース２２１を参照して物体識別子の照合を行ない、一致する物体識別子があれば対応して登録された所有権放棄情報を拾得物管理データベース２２１から取得する。なお、物体識別子は、その差が所定閾値以内であれば一致と判定してもよい。拾得物管理サーバ２２０は、ステップＳ３３９において、所有権放棄情報を拾得物管理装置２３０に含まれる拾得物管理端末に送信する。拾得物管理端末は、ステップＳ３４１において、所有権放棄情報を拾得物取扱所の取扱者に通知する。すなわち、拾得物取扱所の取扱者あるいは拾得者は、所有者（購入者）の所有権が放棄された拾得物を拾得物保管所に保管することなく、自分で処分を決定することができる。
【００５６】
図３Ｂは、本実施形態に係る拾得物管理システム２００の他の動作手順を示すシーケンス図である。図３Ｂは、販売時に物体に物体識別子を生成可能な識別情報を付与する、拾得物管理システム２００の動作シーケンスである。なお、図３Ｂにおいて、図３Ａと同様のステップには同じステップ番号を付して、重複する説明を省略する。
【００５７】
図３Ｂにおいては、物体の販売以前の物体製造所や流通時ではなく、物体の販売時に、販売管理装置２１０に含まれるＰＯＳ端末が、ステップＳ３１１において、物体の精算処理を行なってから、ステップＳ３１２において、物体に物体識別子を生成可能な識別情報の付与を行なう。例えば、バーコードであれば物体に貼り付け、点であれば物体に記載する。なお、物体の販売時に物体に物体識別子を生成可能な識別情報の付与を行なう場合は、簡単な操作で物体識別子を生成可能な点の付与が望ましい。
【００５８】
上記図３Ａおよび図３Ｂのシーケンスにおいては、販売管理装置２１０および拾得物管理装置２３０において物体識別子を生成する場合を示したが、販売管理装置２１０や拾得物管理装置２３０の負荷を低減し、拾得物管理サーバ２２０が物体識別子を生成する構成であってもよい。
【００５９】
《拾得物管理サーバ》
図４は、本実施形態に係る情報処理装置としての拾得物管理サーバ２２０の機能構成を示すブロック図である。
【００６０】
拾得物管理サーバ２２０は、通信制御部４０１と、販売情報受信部４０２と、販売情報登録部４０３と、拾得物管理データベース２２１と、拾得情報受信部４０４と、物体識別子照合部４０５と、所有権放棄判定部４０６と、所有権放棄情報通知部４０７と、を備える。
【００６１】
通信制御部４０１は、ネットワークを介した販売管理装置２１０および拾得物管理装置２３０との通信を制御する。販売情報受信部４０２は、物体識別子取得部４２１と所有権放棄情報取得部４２２とを有し、販売管理装置２１０から販売時に送信されてくる物体識別子と対応する所有権放棄情報とを受信する。販売情報登録部４０３は、販売情報受信部４０２が受信した物体識別子と所有権放棄情報とを対応付けて拾得物管理データベース２２１に登録する。拾得物管理データベース２２１は、物体識別子と所有権放棄情報とを対応付けて登録し、登録データが拾得物の所有権放棄のために使用される。
【００６２】
拾得情報受信部４０４は物体識別子取得部４４１を有し、拾得物管理装置２３０から拾得物管理時に送信されてくる物体識別子を受信する。物体識別子照合部４０５は、拾得情報受信部４０４が受信した物体識別子と、拾得物管理データベース２２１に登録された物体識別子とを照合する。そして、所有権放棄判定部４０６は、物体識別子照合部４０５の照合結果から一致する物体識別子があれば、拾得物管理装置２３０から送信された物体識別子を有する物体の所有権が放棄されていると判定する。なお、物体識別子は、その差が所定閾値以内であれば一致と判定してもよい。所有権放棄情報通知部４０７は、拾得物管理装置２３０から送信された物体識別子を有する物体の所有権が放棄されている旨を、拾得物管理装置２３０に通知する。
【００６３】
（拾得物管理データベース）
図５は、本実施形態に係る拾得物管理データベース２２１の構成を示す図である。拾得物管理データベース２２１は、販売された物体の物体識別子と、遺失して拾得された場合に所有権を放棄する情報とを登録して、拾得物の管理に使用される。
【００６４】
拾得物管理データベース２２１には、構成５１０、構成５２０、などが登録される。構成５１０は、物体識別子５１１に対応付けて所有権放棄情報５１２を記憶する。さらに、物体識別子５１１に対応付けて他の物体関連情報５１３を記憶してもよい。例えば、他の物体関連情報５１３として商品名などを記憶することによって、照合範囲を限定することにより物体の識別精度や識別速度を高めることもできる。
【００６５】
構成５２０は、所有権放棄情報５２１が設定された物体識別子５２２を記憶する。さらに、物体識別子５２２に対応付けて他の物体関連情報５２３を記憶してもよい。例えば、他の物体関連情報５２３として商品名などを記憶することによって、照合範囲を限定することにより物体の識別精度や識別速度を高めることもできる。
【００６６】
なお、本実施形態においては、所有権放棄情報が設定されている場合、所有権が放棄されているとして説明するが、所有権放棄情報が所有権の放棄か所有権の維持かを示し、所有権放棄情報の内容をさらに判定してもよい。また、拾得物管理データベース２２１に含まれる情報は図５に限定されない。拾得物の保管を減らし、その処分を迅速化、あるいは、循環型とするために有用な情報が加えられてもよい。
【００６７】
《販売管理装置の機能構成》
図６は、本実施形態に係る販売管理装置２１０の機能構成を示すブロック図である。
【００６８】
販売管理装置２１０は、販売管理端末としてのＰＯＳ端末６１０と、物体識別子の元となる情報が入力される識別情報入力部６２１と、表示部６２２と、操作部６２３と、を備える。ここで、識別情報入力部６２１は、使用する物体識別子に応じたバーコードリーダやカメラ（点識別子の場合は顕微鏡カメラなどの高解像度カメラ）を含む。ＰＯＳ端末６１０は、通信制御部６０１と、入出力インタフェース６０２と、販売情報取得部６０３と、販売情報送信部６０４と、オプションの他の関連情報送信部６０５と、所有権放棄情報登録完了受信部６０６と、所有権放棄情報登録完了処理部６０７と、を備える。そして、識別情報入力部６２１と、表示部６２２と、操作部６２３とは、ＰＯＳ端末６１０の入出力インタフェース６０２に接続されている。
【００６９】
通信制御部６０１は、ネットワークを介した拾得物管理サーバ２２０との通信を制御する。入出力インタフェース６０２は、入出力機器とのインタフェースを行なう。販売情報取得部６０３は、物体識別子取得部６３１と所有権放棄情報取得部６３２とを有し、販売された物体を識別する物体識別子と、物体識別子に対応する所有権放棄情報とを取得する。販売情報送信部６０４は、物体識別子送信部６４１と所有権放棄情報送信部６４２とを有し、販売された物体の物体識別子と所有権放棄情報とを対応付けて拾得物管理サーバ２２０に送信する。オプションの他の関連情報送信部６０５は、販売時に販売された物体の関連する情報を取得して、拾得物管理サーバ２２０に送信する。所有権放棄情報登録完了受信部６０６は、拾得物管理サーバ２２０から拾得物管理データベース２２１に物体識別子と所有権放棄情報とが対応付けて登録された旨を受信する。所有権放棄情報登録完了処理部６０７は、表示部６２２への所有権放棄情報登録の完了報知などの処理を行なう。
【００７０】
なお、ＰＯＳ端末６１０において、販売情報取得部６０３と、販売情報送信部６０４と、オプションの他の関連情報送信部６０５と、所有権放棄情報登録完了受信部６０６と、所有権放棄情報登録完了処理部６０７とは、拾得物管理アプリケーション６１１に含まれてもよい。
【００７１】
《拾得物管理装置の機能構成》
図７は、本実施形態に係る拾得物管理装置２３０の機能構成を示すブロック図である。
【００７２】
拾得物管理装置２３０は、拾得物管理端末７１０と、物体識別子の元となる情報が入力される識別情報入力部７２１と、表示部７２２と、操作部７２３と、を備える。ここで、識別情報入力部７２１は、使用する物体識別子に応じたバーコードリーダやカメラ（点識別子の場合は顕微鏡カメラなどの高解像度カメラ）を含む。拾得物管理端末７１０は、通信制御部７０１と、入出力インタフェース７０２と、拾得情報取得部７０３と、拾得情報送信部７０４と、オプションの他の関連情報送信部７０５と、所有権放棄情報受信部７０６と、所有権放棄情報通知部７０７と、を備える。そして、識別情報入力部７２１と、表示部７２２と、操作部７２３とは、拾得物管理端末７１０の入出力インタフェース７０２に接続されている。
【００７３】
通信制御部７０１は、ネットワークを介した拾得物管理サーバ２２０との通信を制御する。入出力インタフェース７０２は、入出力機器とのインタフェースを行なう。拾得情報取得部７０３は物体識別子取得部７３１を有し、拾得された物体の物体識別子を取得する。拾得情報送信部７０４は物体識別子送信部７４１を有し、拾得した物体の物体識別子を拾得物管理サーバ２２０に送信する。オプションの他の関連情報送信部７０５は、拾得物管理時に拾得物に関連する情報を取得して、拾得物管理サーバ２２０に送信する。所有権放棄情報受信部７０６は、拾得物管理サーバ２２０から拾得物の所有権が放棄されている旨を受信する。所有権放棄情報通知部７０７は、表示部７２２への所有権が放棄されている旨の報知などの処理を行なう。
【００７４】
なお、拾得物管理端末７１０において、拾得情報取得部７０３と、拾得情報送信部７０４と、オプションの他の関連情報送信部７０５と、所有権放棄情報受信部７０６と、所有権放棄情報通知部７０７とは、拾得物管理アプリケーション７１１に含まれてもよい。
【００７５】
《拾得物管理サーバのハードウェア構成》
図８は、本実施形態に係る情報処理装置としての拾得物管理サーバ２２０のハードウェア構成を示すブロック図である。
【００７６】
図８で、ＣＰＵ(Central Processing Unit)８１０は演算制御用のプロセッサであり、プログラムを実行することで図４の機能構成部を実現する。ＣＰＵ８１０は１つであっても複数であってもよい。ＲＯＭ(Read Only Memory)８２０は、初期データおよびプログラムなどの固定データおよびプログラムを記憶する。ネットワークインタフェース８３０は、ネットワークを介して、販売管理装置２１０や拾得物管理装置２３０との通信を制御する。
【００７７】
ＲＡＭ(Random Access Memory)８４０は、ＣＰＵ８１０が一時記憶のワークエリアとして使用するランダムアクセスメモリである。ＲＡＭ８４０には、本実施形態の実現に必要なデータを記憶する領域が確保されている。販売物体の物体識別子８４１は、販売管理装置２１０から送信された販売物体の物体識別子のデータである。販売物体の所有権放棄情報８４２は、販売管理装置２１０から送信された物体識別子８４１に対応付けられた所有権放棄のデータである。拾得物体の物体識別子８４３は、拾得物管理装置２３０から送信された拾得物の物体識別子のデータである。拾得物管理データベースから読み出した物体識別子８４４は、拾得物管理データベース２２１に登録されて読み出された販売物体の物体識別子のデータである。物体識別子の照合結果８４５は、拾得物体の物体識別子８４３と、拾得物管理データベースから読み出した物体識別子８４４との照合結果のデータであり、一致した物体識別子があったか否かを示す。物体識別子に対応する所有権放棄情報８４６は、一致した物体識別子があった場合の物体識別子に対応付けられた所有権放棄のデータである。送受信データ８４７は、ネットワークインタフェース８３０を介して送受信されるデータであり、本例では物体識別子、所有権放棄情報などを含む。なお、拾得物管理サーバ２２０で一括して物体識別子を生成する場合は、販売管理装置２１０や拾得物管理装置２３０から物体識別子を生成するための識別情報を受信して、識別情報から物体識別子を生成する構成となる。
【００７８】
ストレージ８５０は、ＣＰＵ８１０が使用する、データベースや各種のパラメータ、あるいは本実施形態の実現に必要な以下のデータまたはプログラムが記憶されている。拾得物管理データベース２２１は、図５に示したように、物体識別子と所有権放棄情報とを対応付けたデータを登録する。ストレージ８５０には、以下のプログラムが格納される。拾得物管理サーバ制御プログラム８５１は、拾得物管理サーバ２２０の全体を制御するプログラムである。販売情報取得モジュール８５２は、物体識別子取得モジュールおよび所有権放棄情報取得モジュールを含み、販売管理装置２１０から販売時の物体に関連する情報を取得して、拾得物管理データベース２２１に登録するモジュールである。拾得情報取得モジュール８５３は物体識別子取得モジュールを含み、拾得物管理装置２３０から拾得物管理時の物体に関連する情報を取得するモジュールである。物体識別子照合モジュール８５４は、拾得物管理装置２３０から拾得した物体識別子と、拾得物管理データベース２２１に登録された物体識別子とを照合するモジュールである。所有権放棄判定モジュール８５５は、照合結果で一致する物体識別子があれば、拾得物管理データベース２２１に物体識別子に対応付けて登録されている所有権放棄情報から所有権の放棄を判定するモジュールである。所有権放棄通知モジュール８５６は、拾得物の所有権が放棄されていると判定された場合に、拾得物管理装置２３０に物体識別子に対応する拾得物の所有権が放棄されている旨を通知するモジュールである。
【００７９】
なお、拾得物管理サーバ２２０が物体識別子を生成する場合には、ストレージ８５０に、物体識別子生成アルゴリズムや物体識別子生成モジュールが格納される。また、図８のＲＡＭ８４０やストレージ８５０には、拾得物管理サーバ２２０が有する汎用の機能や他の実現可能な機能に関連するプログラムやデータは図示されていない。
【００８０】
《拾得物管理サーバの処理手順》
図９は、本実施形態に係る情報処理装置としての拾得物管理サーバ２２０の処理手順を示すフローチャートである。このフローチャートは、図８のＣＰＵ８１０がＲＡＭ８４０を使用して実行し、図４の機能構成部を実現する。
【００８１】
拾得物管理サーバ２２０は、ステップＳ９１１において、販売管理装置２１０からの販売情報の受信であるか否かを判定する。販売情報の受信と判定すると、拾得物管理サーバ２２０は、ステップＳ９１３において、販売管理装置２１０から送信された販売情報から販売物の物体識別子を取得する。拾得物管理サーバ２２０は、ステップＳ９１５において、販売管理装置２１０から送信された販売情報から物体識別子に対応付けられた所有権放棄情報を取得する。そして、拾得物管理サーバ２２０は、ステップＳ９１７において、取得した物体識別子と所有権放棄情報とを対応付けて拾得物管理データベース２２１に登録する。なお、購入した物体を遺失して拾得された場合に所有権を放棄する設定をした購入者に対して、拾得物管理サーバ２２０は、ステップＳ９１９において、ポイントを付与するなどの特典情報送信を行なうのが望ましい。
【００８２】
販売情報の受信でないと判定すると、拾得物管理サーバ２２０は、ステップＳ９２１において、拾得物管理装置２３０からの拾得情報の受信であるか否かを判定する。拾得情報の受信と判定すると、拾得物管理サーバ２２０は、ステップＳ９２３において、拾得物管理装置２３０から送信された拾得情報から拾得物の物体識別子を取得する。ここで、拾得者に対して、拾得物管理サーバ２２０は、ステップＳ９２５において、ポイントを付与するなどの特典情報送信を行なうのが望ましい。拾得物管理サーバ２２０は、ステップＳ９２７において、拾得物管理データベース２２１に登録された物体識別子を読み出す。そして、拾得物管理サーバ２２０は、ステップＳ９２９において、拾得物管理装置２３０からの拾得物の物体識別子と、拾得物管理データベース２２１から読み出した物体識別子とを照合する。拾得物管理サーバ２２０は、ステップＳ９３１において、照合結果から物体識別子が一致したか否かを判定する。なお、物体識別子は、その差が所定閾値以内の場合に一致と判定してもよい。物体識別子が一致した場合、拾得物管理サーバ２２０は、ステップＳ９３３において、拾得物管理データベース２２１から一致した物体識別子に対応する所有権放棄情報を取得して、拾得物管理装置２３０に拾得物の所有権が放棄されている旨を通知する。一方、物体識別子が一致しない場合、拾得物管理サーバ２２０は、ステップＳ９３５において、物体識別子の照合が完了したか否かを判定する。物体識別子の照合が完了してないと判定した場合、拾得物管理サーバ２２０は、ステップＳ９２７に戻って、拾得物管理データベース２２１から次の物体識別子を読み出して照合する。物体識別子の照合が完了したと判定した場合、拾得物管理サーバ２２０は、ステップＳ９３７において、拾得物の所有権放棄無し（所有権維持）の旨を、拾得物管理装置２３０に通知する。
【００８３】
《販売管理装置のハードウェア構成》
図１０は、本実施形態に係る販売管理装置２１０のハードウェア構成を示すブロック図である。
【００８４】
図１０で、ＣＰＵ１０１０は演算制御用のプロセッサであり、プログラムを実行することで図６の機能構成部を実現する。ＣＰＵ１０１０は１つであっても複数であってもよい。ＲＯＭ１０２０は、初期データおよびプログラムなどの固定データおよびプログラムを記憶する。ネットワークインタフェース１０３０は、ネットワークを介して、拾得物管理サーバ２２０との通信を制御する。
【００８５】
ＲＡＭ１０４０は、ＣＰＵ１０１０が一時記憶のワークエリアとして使用するランダムアクセスメモリである。ＲＡＭ１０４０には、本実施形態の実現に必要なデータを記憶する領域が確保されている。販売物体の精算結果１０４１は、販売管理装置２１０による販売物体の精算を示すデータである。販売物体の識別情報１０４２は、識別情報入力部６２１により入力された販売物体上の物体識別のためのデータである。販売物体の物体識別子１０４３は、識別情報１０４２に基づいて生成された物体識別子のデータである。販売物体の所有権放棄情報１０４４は、販売物体の物体識別子１０４３に対応付けて設定された所有権放棄のデータである。所有権放棄情報設定完了情報１０４５は、拾得物管理サーバ２２０から通知された拾得物管理データベース２２１への所有権放棄情報の登録済みを示すデータである。送受信データ１０４６は、ネットワークを介して送受信されるデータを記憶し、本例では物体識別子、所有権放棄情報、所有権放棄情報設定完了情報などを含む。入出力データ１０４７は、入出力インタフェース６０２を介した入出力機器と入出力するデータである。
【００８６】
ストレージ１０５０は、ＣＰＵ１０１０が使用する、データベースや各種のパラメータ、あるいは本実施形態の実現に必要な以下のデータまたはプログラムが記憶されている。物体識別子抽出アルゴリズム１０５１は、販売管理装置２１０が物体識別子生成機能を果たすために、使用される物体識別子抽出のアルゴリズムである。ストレージ１０５０には、以下のプログラムが格納される。販売管理装置制御プログラム１０５２は、販売管理装置２１０の全体を制御するプログラムである。販売管理装置用の拾得物管理アプリケーション６１１は、販売管理装置２１０として拾得物管理を行なうためのアプリケーションプログラムであり、以下のモジュールを含む。販売情報生成モジュール１０５３は、販売物体から取得した識別情報から物体識別子を生成する物体識別子生成モジュールと、物体識別子に対応する所有権放棄情報を取得する所有権放棄情報取得モジュールとを含む。他の物体関連情報取得モジュール１０５４は、本実施形態において販売物体の管理に必要な他の関連情報を取得するモジュールである。
【００８７】
入出力インタフェース６０２は、入出力デバイスとのデータ入出力を制御するためのインタフェースを行なう。本実施形態においては、入出力インタフェース６０２には、図６に示したように、バーコードリーダやカメラなどの識別情報入力部６２１、表示部６２２、操作部６２３、などが接続される。
【００８８】
なお、図１０のＲＡＭ１０４０やストレージ１０５０には、ＰＯＳなどの販売管理装置２１０が有する汎用の機能や他の実現可能な機能に関連するプログラムやデータは図示されていない。
【００８９】
《販売管理装置の処理手順》
図１１は、本実施形態に係る販売管理装置２１０の処理手順を示すフローチャートである。このフローチャートは、図１０のＣＰＵ１０１０がＲＡＭ１０４０を使用して実行し、図６の機能構成部を実現する。
【００９０】
販売管理装置２１０は、ステップＳ１１０１において、販売物体の精算処理を行なう。販売管理装置２１０は、ステップＳ１１０３において、物体識別子を生成するための識別情報を販売物体から取得する。そして、販売管理装置２１０は、ステップＳ１１０５において、識別情報から物体識別子を生成する。
【００９１】
続いて、販売管理装置２１０は、ステップＳ１１０７において、販売物体の購入者に対して、販売物体を遺失して拾得された場合に販売物体の所有権を放棄するか否かを問い合わせて、その応答結果を判定する。所有権を放棄する旨の応答があれば、販売管理装置２１０は、ステップＳ１１０９において、所有権放棄情報を生成する。販売管理装置２１０は、ステップＳ１１１１において、拾得物管理サーバ２２０に物体識別子と所有権放棄情報とを対応付けて送信する。そして、販売管理装置２１０は、ステップＳ１１１３において、拾得物管理サーバ２２０からの所有権放棄の設定完了通知を待つ。
【００９２】
拾得物管理サーバ２２０からの所有権放棄の設定完了通知を受信したら、販売管理装置２１０は、ステップＳ１１１５において、所有権放棄情報の登録済を表示などで通知する。そして、販売管理装置２１０は、ステップＳ１１１７において、販売物体の所有権放棄を設定した購入者に対してポイントなどの特典を与える。
【００９３】
一方、ステップＳ１１０７において所有権を放棄しない旨の応答があれば、処理を終了する。
【００９４】
ここで、販売管理装置２１０が物体識別子抽出機能を有しない場合、販売管理装置２１０は、ステップＳ１１０５における物体識別子の生成をせずに、ステップＳ１１１１において物体識別子ではなく、物体識別子を生成可能な識別情報を所有権放棄情報と共に拾得物管理サーバ２２０に送信する。
【００９５】
《拾得物管理装置のハードウェア構成》
図１２は、本実施形態に係る拾得物管理装置２３０のハードウェア構成を示すブロック図である。
【００９６】
図１２で、ＣＰＵ１２１０は演算制御用のプロセッサであり、プログラムを実行することで図７の機能構成部を実現する。ＣＰＵ１２１０は１つであっても複数であってもよい。ＲＯＭ１２２０は、初期データおよびプログラムなどの固定データおよびプログラムを記憶する。ネットワークインタフェース１２３０は、ネットワークを介して、拾得物管理サーバ２２０との通信を制御する。
【００９７】
ＲＡＭ１２４０は、ＣＰＵ１２１０が一時記憶のワークエリアとして使用するランダムアクセスメモリである。ＲＡＭ１２４０には、本実施形態の実現に必要なデータを記憶する領域が確保されている。拾得物体の識別情報１２４１は、識別情報入力部７２１により入力された拾得物体上の物体識別のためのデータである。拾得物体の物体識別子１２４２は、識別情報１２４１に基づいて生成された物体識別子のデータである。拾得物体の所有権放棄情報１２４３は、拾得物体の物体識別子１２４２と一致した販売物体の物体識別子に対応付けて、拾得物管理サーバ２２０の拾得物管理データベース２２１に登録された所有権放棄のデータである。送受信データ１２４４は、ネットワークを介して送受信されるデータを記憶し、本例では物体識別子、所有権放棄情報などを含む。入出力データ１２４５は、入出力インタフェース６０２を介した入出力機器と入出力するデータである。
【００９８】
ストレージ１２５０は、ＣＰＵ１２１０が使用する、データベースや各種のパラメータ、あるいは本実施形態の実現に必要な以下のデータまたはプログラムが記憶されている。物体識別子抽出アルゴリズム１２５１は、拾得物管理装置２３０が物体識別子生成機能を果たすために、使用される物体識別子抽出のアルゴリズムである。ストレージ１２５０には、以下のプログラムが格納される。拾得物管理装置制御プログラム１２５２は、拾得物管理装置２３０の全体を制御するプログラムである。拾得物管理装置用の拾得物管理アプリケーション７１１は、拾得物管理装置２３０として拾得物管理を行なうためのアプリケーションプログラムであり、以下のモジュールを含む。拾得情報生成モジュール１２５３は、拾得物体から取得した識別情報から物体識別子を生成する物体識別子生成モジュールを含む。所有権放棄情報通知モジュール１２５４は、物体識別子生成モジュールが生成した物体識別子に一致する物体識別子に対応付けて拾得物管理データベース２２１に登録されている所有権放棄情報を受信して、拾得物の所有権が放棄されている旨を通知するモジュールである。
【００９９】
入出力インタフェース７０２は、入出力デバイスとのデータ入出力を制御するためのインタフェースを行なう。本実施形態においては、入出力インタフェース７０２には、図７に示したように、バーコードリーダやカメラなどの識別情報入力部７２１、表示部７２２、操作部７２３、などが接続される。
【０１００】
なお、図１２のＲＡＭ１２４０やストレージ１２５０には、ＰＣなどの拾得物管理装置２３０が有する汎用の機能や他の実現可能な機能に関連するプログラムやデータは図示されていない。
【０１０１】
《拾得物管理装置の処理手順》
図１３は、本実施形態に係る拾得物管理装置２３０の処理手順を示すフローチャートである。このフローチャートは、図１２のＣＰＵ１２１０がＲＡＭ１２４０を使用して実行し、図７の機能構成部を実現する。
【０１０２】
拾得物管理装置２３０は、ステップＳ１３０１において、物体識別子を生成するための識別情報を拾得物体から取得する。拾得物管理装置２３０は、ステップＳ１３０３において、識別情報から物体識別子を生成する。そして、拾得物管理装置２３０は、ステップＳ１３０５において、生成した物体識別子を拾得物管理サーバ２２０に送信する。
【０１０３】
続いて、拾得物管理装置２３０は、ステップＳ１３０７において、拾得物管理サーバ２２０から拾得物の物体識別子に一致する物体識別子に設定された所有権放棄情報を待つ。拾得物に対して購入者が所有権を放棄している旨の応答があれば、拾得物管理装置２３０は、ステップＳ１３０９において、拾得物に対して購入者が所有権を放棄している旨を通知する。一方、拾得物に対して購入者が所有権を放棄してない旨の応答があれば、拾得物管理装置２３０は、ステップＳ１３１１において、拾得物に対して購入者が所有権を放棄していない旨を通知する。
【０１０４】
そして、拾得物管理装置２３０は、ステップＳ１３１３において、拾得者にポイントなどの特典を与えるのが望ましい。
【０１０５】
本実施形態によれば、販売された物体を購入者が遺失した場合に販売された物体の所有権が放棄されることを示す所有権放棄情報を販売時に設定しておくので、拾得物を管理する時間や費用を削減することができる。すなわち、拾得物取扱所などにおいて所有権が放棄された拾得物の処分が容易となる。そのため、持ち込まれた拾得物を所有者に返還するため、所有者を見付けるための時間や費用、あるいは、所有者が見付かるまでの拾得物の保管のための時間や費用を削減することができる。さらに、拾得物が用いられないまま拾得物保管所に所定期間保管されることによる資源の浪費をなくすことができる。
【０１０６】
［第３実施形態］
次に、本発明の第３実施形態に係る拾得物管理システムについて説明する。本実施形態に係る拾得物管理システムは、上記第２実施形態と比べると、拾得物を遺失した所有者が所有権を放棄している場合、さらに、拾得物を移管すべき移管先を設定できる点で異なる。その他の構成および動作は、第２実施形態と同様であるため、同じ構成および動作については同じ符号を付してその詳しい説明を省略する。
【０１０７】
《拾得物管理システム》
図１４および図１５を参照して、本実施形態の拾得物管理システム１４００の構成および動作を説明する。
【０１０８】
（概要）
図１４は、本実施形態に係る拾得物管理システム１４００の概要を示す図である。なお、図２Ａと同様の構成要素には同じ参照番号を付して、重複する説明を省略する。
【０１０９】
拾得物管理システム１４００の販売管理装置１４１０においては、販売物体の物体識別子に対応付けて、遺失して拾得された場合に所有権を放棄するか否かの所有権放棄情報と、さらに、所有権を放棄する場合に販売物体の移管先と、を拾得物管理サーバ１４２０の拾得物管理データベース１４２１に登録する。
【０１１０】
一方、拾得物管理システム１４００の拾得物管理装置１４３０においては、拾得物から識別情報を取得して、識別情報から物体識別子を生成して、拾得物管理サーバ１４２０に送信する。拾得物管理サーバ１４２０は、拾得物の物体識別子と一致する物体識別子が拾得物管理データベース１４２１にあれば、物体識別子に対応付けられた所有権放棄情報から所有権の放棄を判定する。そして、所有権が放棄されていれば、物体識別子に対応付けられた拾得物の移管先を取得して、移管先への移管を指示する。
【０１１１】
例えば、図１４の拾得物管理装置１４３０には、“所有権は、放棄されています。レンタル業者に移管して下さい”との指示や、“所有権は、放棄されています。公共施設に寄付して下さい”などの例が図示されている。
【０１１２】
（動作シーケンス）
図１５は、本実施形態に係る拾得物管理システム１４００の動作手順を示すシーケンス図である。図１５は、物体の販売以前に、物体の製造所（製造工場）や流通において物体識別子を生成可能な識別情報を付与する、拾得物管理システム１４００の動作シーケンスである。なお、図１５において、図３Ａと同様のステップには同じステップ番号を付して、重複する説明を省略する。
【０１１３】
販売管理装置１４１０に含まれるＰＯＳ端末は、ステップＳ１５１８において、販売物体が遺失後に拾得された時に所有権を放棄する場合、販売物体の移管先を取得する。そして、ＰＯＳ端末は、ステップＳ１５１９において、生成した販売物体の物体識別子と、物体識別子に対応して取得した所有権放棄情報と移管先とを、拾得物管理サーバ１４２０に送信する。拾得物管理サーバ１４２０は、ステップＳ１５２１において、ＰＯＳ端末から受信された物体識別子と、所有権放棄情報と、移管先とを対応付けて、拾得物管理データベース１４２１に登録する。
【０１１４】
一方、拾得物管理装置１４３０に含まれる端末から、拾得物の物体識別子を受信すると、拾得物管理サーバ１４２０は、ステップＳ１５３５において、拾得物の物体識別子と一致する物体識別子に対応する所有権放棄情報と移管先とを、拾得物管理データベース１４２１から取得する。そして、拾得物管理サーバ１４２０は、ステップＳ１５３７において、所有権放棄情報と移管先とを拾得物管理装置１４３０の端末に送信する。拾得物管理装置１４３０の端末は、ステップＳ１５３９において、拾得物の所有権が放棄されている旨と、その拾得物の移管先とを通知する。このように、拾得物取扱所の取扱者あるいは拾得者は、所有者（購入者）の所有権が放棄された拾得物を拾得物保管所に保管することなく、さらに、所有者の望む移管先への移管を決定することができる。
【０１１５】
《拾得物管理サーバの機能構成》
図１６は、本実施形態に係る情報処理装置としての拾得物管理サーバ１４２０の機能構成を示すブロック図である。なお、図１６において、図４と同様の機能構成部には同じ参照番号を付して、重複する説明を省略する。
【０１１６】
販売情報受信部１６０２が有する移管先取得部１６２３は、販売物体の物体識別子に対応する、所有権が放棄された後の移管先を販売管理装置１４１０から取得する。そして、拾得物管理データベース１４２１は、販売物体の物体識別子に対応付けて、所有権放棄情報と、さらに移管先とを登録する。
【０１１７】
所有権放棄判定部１６０６は、拾得物管理装置１４３０から受信した拾得物の物体識別子と一致する物体識別子に対応して、拾得物管理データベース１４２１に所有権放棄判定情報が登録されており、所有権を放棄すると判定すると、移管先を取得する。所有権放棄情報および保管先通知部１６０７は、拾得物管理装置１４３０に問い合わせのあった拾得物の所有権放棄情報と移管先とを通知する。
【０１１８】
（拾得物管理データベース）
図１７は、本実施形態に係る拾得物管理データベース１４２１の構成を示す図である。拾得物管理データベース１４２１は、販売物体の物体識別子と、所有権放棄情報と、移管先とを登録し、拾得物の管理に使用される。なお、図１７において、図５と同様の構成要素には同じ参照番号を付して、重複する説明を省略する。
【０１１９】
拾得物管理データベース１４２１は、販売物体の物体識別子５１１に対応付けて、所有権を放棄する場合の移管先を表す移管先情報１７１４を登録する。
【０１２０】
なお、本実施形態においては、所有権放棄情報が設定されている場合、所有権が放棄されているとして説明するが、所有権放棄情報が所有権の放棄か所有権の維持かを示し、所有権放棄情報の内容をさらに判定してもよい。また、拾得物管理データベース２２１に含まれる情報は図１７に限定されない。拾得物の保管を減らし、その処分を迅速化、あるいは、循環型とするために有用な情報が加えられてもよい。
【０１２１】
《拾得物管理サーバの処理手順》
図１８は、本実施形態に係る情報処理装置としての拾得物管理サーバ１４２０の処理手順を示すフローチャートである。このフローチャートは、図８のＣＰＵ８１０がＲＡＭ８４０を使用して実行し、図１６の機能構成部を実現する。
【０１２２】
販売管理装置１４１０からのアクセスの場合、拾得物管理サーバ１４２０は、ステップＳ１８１６において、販売管理装置１４１０から所有権を放棄する場合の物体識別子に対応する移管先情報を取得する。そして、拾得物管理サーバ１４２０は、ステップＳ１８１７において、販売物体の物体識別子と、所有権放棄情報と、移管先情報とを対応付けて、拾得物管理データベース１４２１に登録する。
【０１２３】
一方、拾得物管理装置１４３０からのアクセスの場合、拾得物管理サーバ１４２０は、ステップＳ１８３３において、拾得物管理データベース１４２１から拾得物の物体識別子に対応付けられた、所有権放棄情報と移管先情報とを取得して、拾得物管理装置１４３０に通知する。
【０１２４】
《販売管理装置の機能構成》
図１９は、本実施形態に係る販売管理装置１４１０の機能構成を示すブロック図である。図１９において、図６と同様の機能構成部には同じ参照番号を付して、重複する説明を省略する。
【０１２５】
販売管理装置１４１０は、販売管理端末としてのＰＯＳ端末１９１０と、物体識別子の元となる情報が入力される識別情報入力部６２１と、表示部６２２と、操作部６２３と、を備える。ＰＯＳ端末１９１０は、通信制御部６０１と、入出力インタフェース６０２と、販売情報取得部１９０３と、販売情報送信部１９０４と、オプションの他の関連情報送信部６０５と、所有権放棄情報登録完了受信部６０６と、所有権放棄情報登録完了処理部６０７と、を備える。
【０１２６】
販売情報取得部１９０３は、物体識別子取得部６３１と所有権放棄情報取得部６３２と移管先情報取得部１９３３とを有し、販売された物体を識別する物体識別子と、物体識別子に対応する所有権放棄情報と、所有権放棄時の移管先情報とを取得する。販売情報送信部１９０４は、物体識別子送信部６４１と所有権放棄情報送信部６４２と移管先情報送信部１９４３とを有し、販売された物体の物体識別子と所有権放棄情報と移管先情報とを対応付けて拾得物管理サーバ１４２０に送信する。
【０１２７】
なお、ＰＯＳ端末６１０において、販売情報取得部１９０３と、販売情報送信部１９０４と、オプションの他の関連情報送信部６０５と、所有権放棄情報登録完了受信部６０６と、所有権放棄情報登録完了処理部６０７とは、拾得物管理アプリケーション１９１１に含まれてもよい。
【０１２８】
《販売管理装置の処理手順》
図２０は、本実施形態に係る販売管理装置１４１０の処理手順を示すフローチャートである。なお、図２０において、図１１と同様のステップには同じステップ番号を付して、重複する説明を省略する。
【０１２９】
販売管理装置１４１０は、ステップＳ２０１０において、所有権の放棄が設定された場合に、移管先が設定されたか否かを判定する。移管先が設定された場合、販売管理装置１４１０は、ステップＳ２０１１において、操作部６２３を介して移管先情報を取得する。
【０１３０】
《拾得物管理装置の機能構成》
図２１は、本実施形態に係る拾得物管理装置１４３０の機能構成を示すブロック図である。なお、図２１において、図７と同様の機能構成部には同じ参照番号を付して、重複する説明を省略する。
【０１３１】
拾得物管理装置１４３０は、拾得物管理端末２１１０と、物体識別子の元となる情報が入力される識別情報入力部７２１と、表示部７２２と、操作部７２３と、を備える。拾得物管理端末２１１０は、通信制御部７０１と、入出力インタフェース７０２と、拾得情報取得部７０３と、拾得情報送信部７０４と、オプションの他の関連情報送信部７０５と、所有権放棄情報受信部２１０６と、所有権放棄情報通知部２１０７と、を備える。
【０１３２】
所有権放棄情報受信部２１０６は、拾得物管理サーバ１４２０から拾得物の所有権が放棄されている旨および拾得物の移管先を受信する。所有権放棄情報通知部２１０７は、表示部７２２への所有権が放棄されている旨と移管先との報知などの処理を行なう。
【０１３３】
なお、拾得物管理端末２１１０において、拾得情報取得部７０３と、拾得情報送信部７０４と、オプションの他の関連情報送信部７０５と、所有権放棄情報受信部２１０６と、所有権放棄情報通知部２１０７とは、拾得物管理アプリケーション２１１１に含まれてもよい。
【０１３４】
《拾得物管理装置の処理手順》
図２２は、実施形態に係る拾得物管理装置１４３０の処理手順を示すフローチャートである。なお、図２２において、図１３と同様のステップには同じステップ番号を付して、重複する説明を省略する。
【０１３５】
拾得物管理装置１４３０は、ステップＳ２２１０において、拾得物管理サーバ１４２０からの問い合わせ応答に拾得物の移管先情報が含まれるか否かを判定する。拾得物の移管先情報が含まれていれば、拾得物管理装置１４３０は、ステップＳ２２１１において、拾得物の移管先を表示などにより通知する。
【０１３６】
本実施形態によれば、上記実施形態の効果に加えて、拾得物について遺失者が所有権を放棄するだけでなく、所望する移管先を指示するので、さらに拾得物管理の費用や手間を削減することができる。すなわち、拾得物取扱所の取扱者あるいは拾得者は、所有者（購入者）の所有権が放棄された拾得物を拾得物保管所に保管することなく、さらに、所有者の望む移管先への移管を決定することができる。そのため、移管先を決定する手間を省き、資源の循環や共有をさらに迅速化して資源の浪費をさらに削減することができる。
【０１３７】
［第４実施形態］
次に、本発明の第４実施形態に係る拾得物管理システムについて説明する。本実施形態に係る拾得物管理システムは、上記第２実施形態および第３実施形態と比べると、販売物体の購入者が所有権を放棄する日時を管理する点で異なる。その他の構成および動作は、第２実施形態または第３実施形態と同様であるため、同じ構成および動作については同じ符号を付してその詳しい説明を省略する。
【０１３８】
《拾得物管理システムの動作シーケンス》
図２３は、本実施形態に係る拾得物管理システムの動作手順を示すシーケンス図である。図２３において、図３Ａと同様のステップには同じステップ番号を付して、重複する説明は省略する。
【０１３９】
販売管理装置２３１０に含まれるＰＯＳ端末は、ステップＳ２３１８において、販売物体が遺失後に拾得された時に所有権を放棄する場合、所有権放棄を開始する日時を取得する。なお、所有権放棄を開始する日時は、遺失日時後の期間や拾得日時後の期間などで設定してよい。そして、ＰＯＳ端末は、ステップＳ２３１９において、生成した販売物体の物体識別子と、物体識別子に対応して取得した所有権放棄情報と、開始日時とを、拾得物管理サーバ２３２０に送信する。拾得物管理サーバ２３２０は、ステップＳ２３２１において、ＰＯＳ端末から受信された物体識別子と、所有権放棄情報と、開始日時とを対応付けて、拾得物管理データベース２３２１に登録する。
【０１４０】
一方、拾得物管理装置２３０に含まれる端末から、拾得物の物体識別子を受信すると、拾得物管理サーバ２３２０は、ステップＳ２３３５において、拾得物の物体識別子と一致する物体識別子に対応する所有権放棄情報と開始日時とを、拾得物管理データベース２３２１から取得する。そして、拾得物管理サーバ２３２０は、ステップＳ２３３７において、所有権放棄の開始日時以降であれば、所有権放棄情報を拾得物管理装置２３０の端末に送信する。このように、拾得物取扱所の取扱者あるいは拾得者は、所有者（購入者）の所有権が放棄された拾得物を拾得物保管所に保管する期間を制限することができる。
【０１４１】
《拾得物管理サーバの機能構成》
図２４は、本実施形態に係る情報処理装置としての拾得物管理サーバ２３２０の機能構成を示すブロック図である。なお、図２４において、図４と同じ機能構成部には同じ参照番号を付して、重複する説明を省略する。
【０１４２】
販売情報受信部２４０２が有する開始日時取得部２４２３は、販売物体の物体識別子に対応する、所有権の放棄が開始される日時情報を販売管理装置１４１０から取得する。そして、拾得物管理データベース２３２１は、販売物体の物体識別子に対応付けて、所有権放棄情報と、さらに開始日時とを登録する。
【０１４３】
所有権放棄判定部２４０６は、拾得物管理装置２３０から受信した拾得物の物体識別子と一致する物体識別子に対応して、拾得物管理データベース２３２１に所有権放棄判定情報が登録されており、所有権を放棄すると判定すると、開始日時情報を取得する。そして、現時刻が開始日時以降であれば所有権が放棄されたと判定して、所有権放棄情報通知部４０７に対して所有権放棄の通知を指示する。
【０１４４】
（拾得物管理データベース）
図２５は、本実施形態に係る拾得物管理データベース２３２１の構成を示す図である。拾得物管理データベース２３２１は、販売物体の物体識別子と、所有権放棄情報と、開始日時とを登録し、拾得物の管理に使用される。なお、図２５において、図５と同様の構成要素には同じ参照番号を付して、重複する説明を省略する。
【０１４５】
拾得物管理データベース２３２１は、販売物体の物体識別子５１１に対応付けて、所有権の放棄を開始する日時情報２３１４を登録する。
【０１４６】
なお、本実施形態においては、所有権放棄情報が設定されている場合、所有権が放棄されているとして説明するが、所有権放棄情報が所有権の放棄か所有権の維持かを示し、所有権放棄情報の内容をさらに判定してもよい。また、拾得物管理データベース２３２１に含まれる情報は図２５に限定されない。拾得物の保管を減らし、その処分を迅速化、あるいは、循環型とするために有用な情報が加えられてもよい。
【０１４７】
《拾得物管理サーバの処理手順》
図２６は、本実施形態に係る情報処理装置としての拾得物管理サーバ２３２０の処理手順を示すフローチャートである。なお、図２６において、図９と同様のステップには同じステップ番号を付して、重複する説明を省略する。
【０１４８】
販売管理装置２３１０からのアクセスの場合、拾得物管理サーバ２３２０は、ステップＳ２６１６において、販売管理装置２３１０から所有権を放棄する場合の物体識別子に対応する開始日時情報を取得する。そして、拾得物管理サーバ２３２０は、ステップＳ２６１７において、販売物体の物体識別子と、所有権放棄情報と、開始日時情報とを対応付けて、拾得物管理データベース２３２１に登録する。
【０１４９】
一方、拾得物管理装置２３０からのアクセスの場合、拾得物管理サーバ２３２０は、ステップＳ２６３１において、拾得物管理装置２３０から受信した物体識別子と拾得物管理データベース２３２１に登録された物体識別子とが一致し、かつ、問い合わせが所有権放棄の開始日時以降であれば、ステップＳ９３３に進む。
【０１５０】
本実施形態によれば、上記実施形態の効果に加えて、拾得物に対する所有権の放棄日時を購入者が設定できるので、所有権を放棄するか否かの二者択一でなく、柔軟性のある所有権制御による拾得物の管理をすることができる。
【０１５１】
［第５実施形態］
次に、本発明の第５実施形態に係る拾得物管理システムについて説明する。本実施形態に係る拾得物管理システムは、上記第２実施形態乃至第４実施形態と比べると、拾得物管理装置が拾得物取扱所の端末ではなくて、携帯端末としてのスマートフォンにより任意の日時に任意の場所において、拾得物の所有権を確認できる点で異なる。その他の構成および動作は、第２実施形態から第４実施形態と同様であるため、同じ構成および動作については同じ符号を付してその詳しい説明を省略する。
【０１５２】
《拾得物管理システム》
図２７および図２８を参照して、本実施形態の拾得物管理システム２７００の構成および動作を説明する。
【０１５３】
（概要）
図２７は、本実施形態に係る拾得物管理システム２７００の概要を示す図である。なお、図１４と同様の構成要素には同じ参照番号を付して、重複する説明を省略する。
【０１５４】
拾得物管理システム２７００の販売管理装置２７１０においては、販売物体の物体識別子に対応付けて、遺失して拾得された場合に所有権を放棄するか否かの所有権放棄情報と、さらに、所有権を放棄する場合に販売物体の移管先を設定する場合の移管先と、を拾得物管理サーバ１４２０の拾得物管理データベース１４２１に登録する。
【０１５５】
一方、拾得物管理システム２７００の拾得物管理装置としてのスマートフォン２７３０においては、拾得物から識別情報を取得して、識別情報から物体識別子を生成して、拾得物管理サーバ１４２０に送信する。拾得物管理サーバ１４２０は、拾得物の物体識別子と一致する物体識別子が拾得物管理データベース１４２１にあれば、物体識別子に対応付けられた所有権放棄情報から所有権の放棄を判定する。そして、所有権が放棄されていて、物体識別子に対応付けられた拾得物の移管先があれば、移管先への移管を指示する。
【０１５６】
例えば、図２７のスマートフォン２７３０には、所有権は放棄されたが移管先指定の無い場合の、“ご自由にお使いください!  所有権は放棄されています”との指示や、所有権は放棄されない場合の、“拾得物取扱所にお届けください!  所有権は維持されています”との指示や、所有権は放棄され移管先指定がある場合の、“○○チェーン店にお持ちください!  ポイントが付与されます”との指示などの例が図示されている。
【０１５７】
（動作シーケンス）
図２８は、本実施形態に係る拾得物管理システム２７００の動作手順を示すシーケンス図である。なお、図２８においては、拾得物管理データベース１４２１への登録までの動作は、図３Ａまたは図３Ｂ、図１５などと共通であるので、省略されている。また、図２８において、図３Ａまたは図３Ｂ、図１５などと同様のステップには同じステップ番号を付して、重複する説明を省略する。
【０１５８】
ステップＳ２８００において、スマートフォン２７３０は、拾得物管理サーバ１４２０から拾得物管理アプリケーションをダウンロードして起動する。なお、拾得物管理アプリケーションは、あらかじめ起動されてバックグラウンドで動作していても、拾得物の問い合わせごとに起動されてもよい。
【０１５９】
スマートフォン２７３０は、ステップＳ２８０１において、例えば搭載カメラなどで拾得物の識別情報を取得する。スマートフォン２７３０は、ステップＳ２８０３において、取得した識別情報から拾得物の物体識別子を生成する。そして、スマートフォン２７３０は、ステップＳ２８０５において、生成した物体識別子を拾得物管理サーバ１４２０に送信する。
【０１６０】
拾得物管理サーバ１４２０は、ステップＳ２８０７において、拾得物管理データベース１４２１から一致する物体識別子に対応する登録情報、すなわち、所有権放棄情報や移管先情報など、を読み出す。そして、図２７に対応させると、拾得物管理サーバ１４２０は、ステップＳ２８０９において、一致する物体識別子に対応する所有権放棄情報と移管先情報とが登録されていると判定した場合、それを通知するメッセージをスマートフォン２７３０に通知する。すなわち、スマートフォン２７３０は、ステップＳ２８１１において、“移管先にお持ちください!  ポイントが付与されます”を表示する。また、拾得物管理サーバ１４２０は、ステップＳ２８１３において、一致する物体識別子に対応する所有権放棄情報はあるが、移管先情報が登録されてないと判定した場合、それを通知するメッセージをスマートフォン２７３０に通知する。すなわち、スマートフォン２７３０は、ステップＳ２８１５において、“ご自由にお使いください!”を表示する。また、拾得物管理サーバ１４２０は、ステップＳ２８１７において、一致する物体識別子がない、あるいは、物体識別子に対応する所有権放棄情報がないと判定した場合、所有権の放棄なしを通知するメッセージをスマートフォン２７３０に通知する。すなわち、スマートフォン２７３０は、ステップＳ２８１９において、“拾得物取扱所にお届けください!”を表示する。
【０１６１】
《スマートフォンの機能構成》
図２９は、本実施形態に係る拾得物管理装置としてのスマートフォン２７３０の機能構成を示すブロック図である。なお、図２９において、図７や図２１と同様の機能構成部には同じ参照番号を付して、重複する説明は省略する。
【０１６２】
拾得物管理装置としてのスマートフォン２７３０は、通信制御部７０１と、入出力インタフェース７０２と、拾得情報取得部７０３と、拾得情報送信部７０４と、オプションの他の関連情報送信部７０５と、所有権放棄情報受信部２１０６と、拾得者指示情報通知部２９０７と、特典情報（ポイント）格納部２９０８と、を備える。入出力インタフェース７０２には、例えば、ＵＳＢコネクタ２９２１、内部カメラ２９２２、表示部７２２、操作部７２３、ＧＰＳ位置算出部２９２５、が接続される。そして、ＵＳＢコネクタ２９２１には、物体識別子の元となる情報が入力される識別情報入力部７２１が接続されてもよい。
【０１６３】
拾得者指示情報通知部２９０７は、指示メッセージ格納部２９７１を有し、拾得物管理サーバ１４２０からの拾得物に物体識別子に対応する、所有権放棄情報および／または移管先情報の受信に基づいて、対応する拾得者指示メッセージの表示などの通知をする。特典情報（ポイント）格納部２９０８は、販売物体の購入時の所有権放棄設定や、拾得物の問い合わせなどの特典情報取得をして格納する。
【０１６４】
なお、スマートフォン２７３０において、拾得情報取得部７０３と、拾得情報送信部７０４と、オプションの他の関連情報送信部７０５と、所有権放棄情報受信部２１０６と、拾得者指示情報通知部２９０７と、特典情報（ポイント）格納部２９０８とは、拾得物管理アプリケーション２９１１に含まれてもよい。
【０１６５】
《スマートフォンのハードウェア構成》
図３０は、本実施形態に係る拾得物管理装置としてのスマートフォン２７３０のハードウェア構成を示すブロック図である。図３０において、図１２または図２９と同様の構成要素には同じ参照番号を付して、重複する説明を省略する。
【０１６６】
ＲＡＭ３０４０には、所有権放棄情報と移管先情報とを含む拾得物の処理情報３０４３が記憶される。そして、ストレージ３０５０には、拾得者への指示メッセージを格納する指示メッセージ格納部２９７１と、特典情報（ポイント）格納部２９０８とが格納される。また、ストレージ３０５０には、プログラムとして、スマートフォン制御プログラム３０５２と、スマートフォン用の拾得物管理アプリケーション２９１１と、指示メッセージを通知する指示メッセージ通知モジュール３０５４とが格納される。
【０１６７】
《スマートフォンの処理手順》
図３１は、本実施形態に係る拾得物管理装置としてのスマートフォン２７３０の処理手順を示すフローチャートである。なお、図３１において、図１３と同様のステップには同じステップ番号を付して、重複する説明を省略する。
【０１６８】
スマートフォン２７３０は、所有権が放棄されてない場合、ステップＳ３１１０において、“拾得物取扱所にお届けください!”のメッセージを出力する。また、スマートフォン２７３０は、ステップＳ３１０７において、移管先の情報の有無を判定する。そして、移管先の情報が有る場合、スマートフォン２７３０は、ステップＳ３１０８において、“移管先にお持ちください!  ポイントが付与されます”のメッセージを出力する。一方、移管先の情報が無い場合、スマートフォン２７３０は、ステップＳ３１０９において、“ご自由にお使いください!”のメッセージを出力する。
【０１６９】
本実施形態によれば、上記実施形態の効果に加えて、携帯端末としてのスマートフォンにより任意の日時に任意の場所において拾得物の所有権を確認できるので、拾得者が拾得物を拾得物取扱所に届けることなく処分でき、拾得物管理の費用や手間をさらに削減することができる。
【０１７０】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【０１７１】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【０１７２】
［実施形態の他の表現］
上記の実施形態の一部または全部は、以下の付記のようにも記載されうるが、以下には限られない。
（付記１）
物体が販売された場合に、前記販売された物体を識別する第１物体識別子と、前記販売された物体を購入者が遺失した場合に前記販売された物体の所有権が放棄されることを示す所有権放棄情報とを取得する販売情報取得手段と、
前記第１物体識別子と前記所有権放棄情報とを対応付けて登録する登録手段と、
拾得された物体を識別する第２物体識別子を取得する拾得情報取得手段と、
前記第２物体識別子と前記第１物体識別子とを照合する照合手段と、
前記第２物体識別子と前記第１物体識別子とが一致した場合に、前記拾得された物体の所有権が放棄されたことを通知する通知手段と、
を備える拾得物管理システム。
（付記２）
物体が販売された場合に、前記販売された物体を識別する第１物体識別子と、前記販売された物体を購入者が遺失した場合に前記販売された物体の所有権が放棄されることを示す所有権放棄情報とを取得し、
前記第１物体識別子と前記所有権放棄情報とを対応付けて登録手段に登録し、
拾得された物体を識別する第２物体識別子を取得し、
前記第２物体識別子と前記第１物体識別子とを照合し、
前記第２物体識別子と前記第１物体識別子とが一致した場合に、前記拾得された物体の所有権が放棄されたことを通知する、
拾得物管理方法。
（付記３）
物体が販売された場合に、前記販売された物体を識別する第１物体識別子と、前記販売された物体を購入者が遺失した場合に前記販売された物体の所有権が放棄されることを示す所有権放棄情報とを取得する販売情報取得処理と、
前記第１物体識別子と前記所有権放棄情報とを対応付けて登録する登録処理と、
拾得された物体を識別する第２物体識別子を取得する拾得情報取得処理と、
前記第２物体識別子と前記第１物体識別子とを照合する照合処理と、
前記第２物体識別子と前記第１物体識別子とが一致した場合に、前記拾得された物体の所有権が放棄されたことを通知する通知処理と、
をコンピュータに実行させる拾得物管理プログラムを記憶する記憶媒体。
（付記４）
販売された物体を識別する第１物体識別子と、前記販売された物体を購入者が遺失した場合に前記販売された物体の所有権が放棄されることを示す所有権放棄情報とを対応付けて登録する登録手段と、
拾得された物体を識別する第２物体識別子を受信する拾得情報受信手段と、
前記第２物体識別子と前記第１物体識別子とを照合する照合手段と、
前記第２物体識別子と前記第１物体識別子とが一致した場合に、前記拾得された物体の所有権が放棄されたと判定する判定手段と、
を備える情報処理装置。
（付記５）
前記登録手段は、さらに、前記第１物体識別子に対応付けて、前記所有権が放棄された場合に前記拾得された物体を移管する移管先を登録し、
前記所有権が放棄された前記拾得された物体の前記移管先への移管を指示する指示手段
をさらに備える付記４に記載の情報処理装置。
（付記６）
前記移管先は、前記拾得された物体を寄付する寄付先と、前記拾得された物体を共用する公共施設と、前記拾得された物体を製造した製造元あるいは販売した販売元と、前記拾得された物体をリサイクルするリサイクル業者と、前記拾得された物体をレンタルするレンタル業者と、を含む
付記５に記載の情報処理装置。
（付記７）
前記購入者による前記販売された物体の購入時に、前記第１物体識別子と前記所有権放棄情報とを物体の販売管理装置から受信する販売情報受信手段と、
前記所有権放棄情報を取得した場合に、前記購入者に特典情報を送信する特典情報送信手段と、
をさらに備える付記４乃至６のいずれか１項に記載の情報処理装置。
（付記８）
前記第１物体識別子および前記第２物体識別子は、前記物体に筆記具で記載された点から抽出された点識別子、前記物体に添付されたバーコードを含むコード識別子、または、前記物体の撮像画像から抽出した特徴点識別子である
付記４乃至７のいずれか１項に記載の情報処理装置。
（付記９）
前記登録手段は、さらに、前記第１物体識別子に対応付けて、前記所有権の放棄を開始する日時を対応付けて登録し、
前記判定手段は、前記第２物体識別子と前記第１物体識別子とが一致し、かつ、前記拾得された物体の拾得日時が前記所有権の放棄を開始する日時以降の場合に、前記拾得された物体の所有権が放棄されたと判定する
付記４乃至８のいずれか１項に記載の情報処理装置。
（付記１０）
販売された物体を識別する第１物体識別子と、前記販売された物体を購入者が遺失した場合に前記販売された物体の所有権が放棄されることを示す所有権放棄情報とを対応付けて登録手段に登録し、
拾得された物体を識別する第２物体識別子を受信し、
前記第２物体識別子と前記第１物体識別子とを照合し、
前記第２物体識別子と前記第１物体識別子とが一致した場合に、前記拾得された物体の所有権が放棄されたと判定する、
情報処理装置の制御方法。
（付記１１）
さらに、前記第１物体識別子に対応付けて、前記所有権が放棄された場合に前記拾得された物体を移管する移管先を登録し、
前記所有権が放棄された前記拾得された物体の前記移管先への移管を指示する、
付記１０に記載の制御方法。
（付記１２）
前記移管先は、前記拾得された物体を寄付する寄付先と、前記拾得された物体を共用する公共施設と、前記拾得された物体を製造した製造元あるいは販売した販売元と、前記拾得された物体をリサイクルするリサイクル業者と、前記拾得された物体をレンタルするレンタル業者と、を含む
付記１１に記載の制御方法。
（付記１３）
前記購入者による前記販売された物体の購入時に、前記第１物体識別子と前記所有権放棄情報とを物体の販売管理装置から受信し、
前記所有権放棄情報を取得した場合に、前記購入者に特典情報を送信する、
付記１０乃至１２のいずれか１項に記載の制御方法。
（付記１４）
前記第１物体識別子および前記第２物体識別子は、前記物体に筆記具で記載された点から抽出された点識別子、前記物体に添付されたバーコードを含むコード識別子、または、前記物体の撮像画像から抽出した特徴点識別子である
付記１０乃至１３のいずれか１項に記載の制御方法。
（付記１５）
さらに、前記第１物体識別子に対応付けて、前記所有権の放棄を開始する日時を対応付けて登録し、
前記第２物体識別子と前記第１物体識別子とが一致し、かつ、前記拾得された物体の拾得日時が前記所有権の放棄を開始する日時以降の場合に、前記拾得された物体の所有権が放棄されたと判定する
付記１０乃至１４のいずれか１項に記載の制御方法。
（付記１６）
販売された物体を識別する第１物体識別子と、前記販売された物体を購入者が遺失した場合に前記販売された物体の所有権が放棄されることを示す所有権放棄情報とを対応付けて登録手段に登録する登録処理と、
拾得された物体を識別する第２物体識別子を受信する拾得情報受信処理と、
前記第２物体識別子と前記第１物体識別子とを照合する照合処理と、
前記第２物体識別子と前記第１物体識別子とが一致した場合に、前記拾得された物体の所有権が放棄されたと判定する判定処理と、
をコンピュータに実行させる情報処理プログラムを記憶する記憶媒体。
（付記１７）
前記登録処理は、さらに、前記第１物体識別子に対応付けて、前記所有権が放棄された場合に前記拾得された物体を移管する移管先を登録し、
前記情報処理プログラムは、
前記所有権が放棄された前記拾得された物体の前記移管先への移管を指示する指示処理
をコンピュータにさらに実行させる付記１６に記載の記憶媒体。
（付記１８）
前記移管先は、前記拾得された物体を寄付する寄付先と、前記拾得された物体を共用する公共施設と、前記拾得された物体を製造した製造元あるいは販売した販売元と、前記拾得された物体をリサイクルするリサイクル業者と、前記拾得された物体をレンタルするレンタル業者と、を含む
付記１７に記載の記憶媒体。
（付記１９）
前記情報処理プログラムは、
前記購入者による前記販売された物体の購入時に、前記第１物体識別子と前記所有権放棄情報とを物体の販売管理装置から受信する販売情報受信処理と、
前記所有権放棄情報を取得した場合に、前記購入者に特典情報を送信する特典情報送信処理と、
をコンピュータにさらに実行させる付記１６乃至１８のいずれか１項に記載の記憶媒体。
（付記２０）
前記第１物体識別子および前記第２物体識別子は、前記物体に筆記具で記載された点から抽出された点識別子、前記物体に添付されたバーコードを含むコード識別子、または、前記物体の撮像画像から抽出した特徴点識別子である
付記１６乃至１９のいずれか１項に記載の記憶媒体。
（付記２１）
前記登録処理は、さらに、前記第１物体識別子に対応付けて、前記所有権の放棄を開始する日時を対応付けて登録し、
前記判定処理は、前記第２物体識別子と前記第１物体識別子とが一致し、かつ、前記拾得された物体の拾得日時が前記所有権の放棄を開始する日時以降の場合に、前記拾得された物体の所有権が放棄されたと判定する
付記１６乃至２０のいずれか１項に記載の記憶媒体。
（付記２２）
物体が販売された場合に、前記販売された物体を識別する第１物体識別子と、前記販売された物体を購入者が遺失した場合に前記販売された物体の所有権が放棄されることを示す所有権放棄情報とを取得する販売情報取得手段と、
前記第１物体識別子と前記所有権放棄情報とを対応付けて、情報処理装置の登録手段に登録するために前記情報処理装置に送信する販売情報送信手段と、
を備える販売管理装置。
（付記２３）
前記所有権放棄情報が設定された場合に、前記販売された物体の購入者に特典情報を付与する付与手段
をさらに備える付記２２に記載の販売管理装置。
（付記２４）
前記販売情報取得手段は、さらに、前記所有権が放棄された場合に前記販売された物体を移管する移管先を取得し、
前記販売情報送信手段は、さらに、前記第１物体識別子に対応付けて前記移管先を前記情報処理装置に送信する
付記２２または２３に記載の販売管理装置。
（付記２５）
前記移管先は、拾得された物体を寄付する寄付先と、前記拾得された物体を共用する公共施設と、前記拾得された物体を製造した製造元あるいは販売した販売元と、前記拾得された物体をリサイクルするリサイクル業者と、前記拾得された物体をレンタルするレンタル業者と、を含む
付記２４に記載の販売管理装置。
（付記２６）
前記第１物体識別子は、前記販売された物体に筆記具で記載された点から抽出された点識別子、前記販売された物体に添付されたバーコードを含むコード識別子、または、前記販売された物体の撮像画像から抽出した特徴点識別子である
付記２２乃至２５のいずれか１項に記載の販売管理装置。
（付記２７）
前記販売情報取得手段は、
前記販売された物体に筆記具で記載された点を撮像する撮像手段と、
前記撮像された点から点識別子を抽出する抽出手段と、
前記抽出された点識別子に対応付けて、前記所有権放棄情報の入力を受け付ける入力手段と、
を有する付記２２乃至２６のいずれか１項に記載の販売管理装置。
（付記２８）
前記販売情報取得手段は、さらに、前記所有権の放棄を開始する日時を取得し、
前記販売情報送信手段は、さらに、前記第１物体識別子に対応付けて前記日時を前記情報処理装置に送信する
付記２２乃至２７のいずれか１項に記載の販売管理装置。
（付記２９）
前記販売管理装置は、ＰＯＳ(point of sale system)端末を含む
付記２２乃至２８のいずれか１項に記載の販売管理装置。
（付記３０）
物体が販売された場合に、前記販売された物体を識別する第１物体識別子と、前記販売された物体を購入者が遺失した場合に前記販売された物体の所有権が放棄されることを示す所有権放棄情報とを取得し、
前記第１物体識別子と前記所有権放棄情報とを対応付けて、情報処理装置の登録手段に登録するために前記情報処理装置に送信する、
販売管理装置の制御方法。
（付記３１）
前記所有権放棄情報が設定された場合に、前記販売された物体の購入者に特典情報を付与する
付記３０に記載の制御方法。
（付記３２）
さらに、前記所有権が放棄された場合に前記販売された物体を移管する移管先を取得し、
さらに、前記第１物体識別子に対応付けて前記移管先を前記情報処理装置に送信する
付記３０または３１に記載の制御方法。
（付記３３）
前記移管先は、拾得された物体を寄付する寄付先と、前記拾得された物体を共用する公共施設と、前記拾得された物体を製造した製造元あるいは販売した販売元と、前記拾得された物体をリサイクルするリサイクル業者と、前記拾得された物体をレンタルするレンタル業者と、を含む
付記３２に記載の制御方法。
（付記３４）
前記第１物体識別子は、前記販売された物体に筆記具で記載された点から抽出された点識別子、前記販売された物体に添付されたバーコードを含むコード識別子、または、前記販売された物体の撮像画像から抽出した特徴点識別子である
付記３０乃至３３のいずれか１項に記載の制御方法。
（付記３５）
前記販売された物体に筆記具で記載された点を撮像し、
前記撮像された点から点識別子を抽出し、
前記抽出された点識別子に対応付けて、前記所有権放棄情報の入力を受け付ける、
付記３０乃至３４いずれか１項に記載の制御方法。
（付記３６）
さらに、前記所有権の放棄を開始する日時を取得し、
さらに、前記第１物体識別子に対応付けて前記日時を前記情報処理装置に送信する
付記３０乃至３５のいずれか１項に記載の制御方法。
（付記３７）
前記販売管理装置は、ＰＯＳ(point of sale system)端末を含む
付記３０乃至３６のいずれか１項に記載の制御方法。
（付記３８）
物体が販売された場合に、前記販売された物体を識別する第１物体識別子と、前記販売された物体を購入者が遺失した場合に前記販売された物体の所有権が放棄されることを示す所有権放棄情報とを取得する販売情報取得処理と、
前記第１物体識別子と前記所有権放棄情報とを対応付けて、情報処理装置の登録手段に登録するために前記情報処理装置に送信する販売情報送信処理と、
をコンピュータに実行させる販売管理装置の制御プログラムを記憶する記憶媒体。
（付記３９）
前記制御プログラムは、
前記所有権放棄情報が設定された場合に、前記販売された物体の購入者に特典情報を付与する付与処理
をコンピュータにさらに実行させる付記３８に記載の記憶媒体。
（付記４０）
前記販売情報取得処理は、さらに、前記所有権が放棄された場合に前記販売された物体を移管する移管先を取得し、
前記販売情報送信処理は、さらに、前記第１物体識別子に対応付けて前記移管先を前記情報処理装置に送信する
付記３８または３９に記載の記憶媒体。
（付記４１）
前記移管先は、拾得された物体を寄付する寄付先と、前記拾得された物体を共用する公共施設と、前記拾得された物体を製造した製造元あるいは販売した販売元と、前記拾得された物体をリサイクルするリサイクル業者と、前記拾得された物体をレンタルするレンタル業者と、を含む
付記４０に記載の記憶媒体。
（付記４２）
前記第１物体識別子は、前記販売された物体に筆記具で記載された点から抽出された点識別子、前記販売された物体に添付されたバーコードを含むコード識別子、または、前記販売された物体の撮像画像から抽出した特徴点識別子である
付記３８乃至４１のいずれか１項に記載の記憶媒体。
（付記４３）
前記販売情報取得処理は、
前記販売された物体に筆記具で記載された点を撮像する撮像処理と、
前記撮像された点から点識別子を抽出する抽出処理と、
前記抽出された点識別子に対応付けて、前記所有権放棄情報の入力を受け付ける入力処理と、
を有する
付記３８乃至４２のいずれか１項に記載の記憶媒体。
（付記４４）
前記販売情報取得処理は、さらに、前記所有権の放棄を開始する日時を取得し、
前記販売情報送信処理は、さらに、前記第１物体識別子に対応付けて前記日時を前記情報処理装置に送信する
付記３８乃至４３のいずれか１項に記載の記憶媒体。
（付記４５）
前記販売管理装置は、ＰＯＳ(point of sale system)端末を含む
付記３８乃至４４のいずれか１項に記載の記憶媒体。
（付記４６）
拾得した物体を識別する第２物体識別子を取得する拾得情報取得手段と、
前記第２物体識別子を情報処理装置に送信する拾得情報送信手段と、
前記情報処理装置の登録手段に前記第２物体識別子と一致する販売された物体を識別する第１物体識別子が登録されている場合に前記情報処理装置から通知される、前記拾得した物体の所有権が放棄されることを示す所有権放棄情報を受信する放棄情報受信手段と、
受信した前記所有権放棄情報に基づいて、前記拾得した物体の所有権が放棄されたことを通知する放棄情報通知手段と、
を備える通信端末。
（付記４７）
前記放棄情報受信手段は、前記所有権放棄情報と共に、前記物体の移管先を示す移管先情報を受信し、
前記放棄情報通知手段は、さらに、前記物体の移管先を通知する
付記４６に記載の通信端末。
（付記４８）
前記第１物体識別子および前記第２物体識別子は、前記物体に筆記具で記載された点から抽出された点識別子、前記物体に添付されたバーコードを含むコード識別子、または、前記物体の撮像画像から抽出した特徴点識別子である
付記４６または４７に記載の通信端末。
（付記４９）
前記拾得情報取得手段は、
前記拾得した物体に筆記具で記載された点を撮像する撮像手段と、
前記撮像された点から点識別子を抽出する抽出手段と、
を有する
付記４６乃至４８のいずれか１項に記載の通信端末。
（付記５０）
前記通信端末は、前記拾得した物体を取り扱う拾得物取扱所の通信端末、または、スマートフォンを含む通信端末である
付記４６乃至４９のいずれか１項に記載の通信端末。
（付記５１）
前記通信端末は、スマートフォンを含む通信端末であって、
前記第２物体識別子の送信、または、前記拾得した物体の移管先への移管に対する特典情報を取得する特典情報取得手段を、さらに備える
付記４７に記載の通信端末。
（付記５２）
拾得した物体を識別する第２物体識別子を取得し、
前記第２物体識別子を情報処理装置に送信し、
前記情報処理装置の登録手段に前記第２物体識別子と一致する販売された物体を識別する第１物体識別子が登録されている場合に前記情報処理装置から通知される、前記拾得した物体の所有権が放棄されることを示す所有権放棄情報を受信し、
受信した前記所有権放棄情報に基づいて、前記拾得した物体の所有権が放棄されたことを通知する、
通信端末の制御方法。
（付記５３）
前記所有権放棄情報と共に、前記物体の移管先を示す移管先情報を受信し、
さらに、前記物体の移管先を通知する
付記５２に記載の制御方法。
（付記５４）
前記第１物体識別子および前記第２物体識別子は、前記物体に筆記具で記載された点から抽出された点識別子、前記物体に添付されたバーコードを含むコード識別子、または、前記物体の撮像画像から抽出した特徴点識別子である
付記５２または５３に記載の制御方法。
（付記５５）
前記拾得した物体に筆記具で記載された点を撮像し、
前記撮像された点から点識別子を抽出する、
付記５２乃至５４のいずれか１項に記載の制御方法。
（付記５６）
前記通信端末は、前記拾得した物体を取り扱う拾得物取扱所の通信端末、または、スマートフォンを含む通信端末である
付記５２乃至５５のいずれか１項に記載の制御方法。
（付記５７）
前記通信端末は、スマートフォンを含む通信端末であって、
前記第２物体識別子の送信、または、前記拾得した物体の移管先への移管に対する特典情報を取得する
付記５３に記載の制御方法。
（付記５８）
拾得した物体を識別する第２物体識別子を取得する拾得情報取得処理と、
前記第２物体識別子を情報処理装置に送信する拾得情報送信処理と、
前記情報処理装置の登録手段に前記第２物体識別子と一致する販売された物体を識別する第１物体識別子が登録されている場合に前記情報処理装置から通知される、前記拾得した物体の所有権が放棄されることを示す所有権放棄情報を受信する放棄情報受信処理と、
受信した前記所有権放棄情報に基づいて、前記拾得した物体の所有権が放棄されたことを通知する放棄情報通知処理と、
をコンピュータに実行させる通信端末のアプリケーションプログラムを記憶する記憶媒体。
（付記５９）
前記放棄情報受信処理においては、前記所有権放棄情報と共に、前記物体の移管先を示す移管先情報を受信し、
前記放棄情報通知処理においては、さらに、前記物体の移管先を通知する
付記５８に記載の記憶媒体。
（付記６０）
前記第１物体識別子および前記第２物体識別子は、前記物体に筆記具で記載された点から抽出された点識別子、前記物体に添付されたバーコードを含むコード識別子、または、前記物体の撮像画像から抽出した特徴点識別子である
付記５８または５９に記載の記憶媒体。
（付記６１）
前記拾得情報取得処理は、
前記拾得した物体に筆記具で記載された点を撮像手段で撮像する撮像処理と、
前記撮像された点から点識別子を抽出する抽出処理と、
を含む
付記５８乃至６０のいずれか１項に記載の記憶媒体。
（付記６２）
前記通信端末は、前記拾得した物体を取り扱う拾得物取扱所の通信端末、または、スマートフォンを含む通信端末である
付記５８乃至６１のいずれか１項に記載の記憶媒体。
（付記６３）
前記通信端末は、スマートフォンを含む通信端末であって、
前記アプリケーションプログラムは、
前記第２物体識別子の送信、または、前記拾得した物体の移管先への移管に対応する特典情報を取得する特典情報取得処理
をさらにコンピュータに実行させる付記５９に記載の記憶媒体。
【０１７３】
以上、実施形態を参照して本願発明を説明したが、本願発明は上記実施形態に限定されない。本願発明の構成や詳細には、本願発明のスコープ内で当業者が理解し得る様々な変更をすることができる。
【０１７４】
この出願は、２０１７年１２月４日に出願された日本出願特願２０１７−２３２７９２を基礎とする優先権を主張し、その開示の全てをここに取り込む。
【符号の説明】
【０１７５】
１００    拾得物管理システム
１０１    販売情報取得部
１０２    所有権放棄情報登録部
１０３    拾得情報取得部
１０４    照合部
１０５    所有権放棄通知部
１２１    第１物体識別子
１２２    所有権放棄情報
２００    拾得物管理システム
２０１    拾得物管理システム
２０２    拾得物管理システム
２０３    拾得物管理システム
２１０    販売管理装置
２１１    販売管理装置
２１２    販売管理装置
２１３    販売管理装置
２１４    販売管理装置
２１５    販売管理装置
２１６    販売管理装置
２１７    販売管理装置
２１８    販売管理装置
２１９    販売管理装置
２２０    拾得物管理サーバ
２２１    拾得物管理データベース
２３０    拾得物取扱所、拾得物管理装置
２３１    拾得物管理装置
２３２    拾得物管理装置
２３３    拾得物管理装置
２３４    拾得物管理装置
２３５    拾得物管理装置
２３６    拾得物管理装置
２４０    拾得物保管所
２５０    移管先
２５１    拾得者
２５２    寄付先
２５４    販売元
２５５    レンタル業者
２５６    廃棄
２６０    物体識別子テーブル
２６１    物体（製品）
２６２    物体識別子用識別情報
２６３    物体識別子
２６４    生成方法
２６６    点識別子テーブル
２７１    点の記載材料
２７２    点の記載媒体
２７３    点の撮像方法
２７４    点画像の特徴量抽出方法
４０１    通信制御部
４０２    販売情報受信部
４０３    販売情報登録部
４０４    拾得情報受信部
４０５    物体識別子照合部
４０６    所有権放棄判定部
４０７    所有権放棄情報通知部
４２１    物体識別子取得部
４２２    所有権放棄情報取得部
４４１    物体識別子取得部
５１０    構成
５１１    物体識別子
５１２    所有権放棄情報
５１３    他の物体関連情報
５２０    構成
５２１    所有権放棄情報
５２２    物体識別子
５２３    他の物体関連情報
６０１    通信制御部
６０２    入出力インタフェース
６０３    販売情報取得部
６０４    販売情報送信部
６０５    他の関連情報送信部
６０６    所有権放棄情報登録完了受信部
６０７    所有権放棄情報登録完了処理部
６１０    ＰＯＳ端末
６１１    拾得物管理アプリケーション
６２１    識別情報入力部
６２２    表示部
６２３    操作部
６３１    物体識別子取得部
６３２    所有権放棄情報取得部
６４１    物体識別子送信部
６４２    所有権放棄情報送信部
７０１    通信制御部
７０２    入出力インタフェース
７０３    拾得情報取得部
７０４    拾得情報送信部
７０５    他の関連情報送信部
７０６    所有権放棄情報受信部
７０７    所有権放棄情報通知部
７１０    拾得物管理端末
７１１    拾得物管理アプリケーション
７２１    識別情報入力部
７２２    表示部
７２３    操作部
７３１    物体識別子取得部
７４１    物体識別子送信部
８１０    ＣＰＵ
８２０    ＲＯＭ
８３０    ネットワークインタフェース
８４０    ＲＡＭ
８４１    物体識別子
８４２    所有権放棄情報
８４３    物体識別子
８４４    物体識別子
８４５    照合結果
８４６    所有権放棄情報
８４７    送受信データ
８５０    ストレージ
８５１    拾得物管理サーバ制御プログラム
８５２    販売情報取得モジュール
８５３    拾得情報取得モジュール
８５４    物体識別子照合モジュール
８５５    所有権放棄判定モジュール
８５６    所有権放棄通知モジュール
１０１０    ＣＰＵ
１０２０    ＲＯＭ
１０３０    ネットワークインタフェース
１０４０    ＲＡＭ
１０４１    精算結果
１０４２    識別情報
１０４３    物体識別子
１０４４    所有権放棄情報
１０４５    所有権放棄情報設定完了情報
１０４６    送受信データ
１０４７    入出力データ
１０５０    ストレージ
１０５１    物体識別子抽出アルゴリズム
１０５２    販売管理装置制御プログラム
１０５３    販売情報生成モジュール
１０５４    物体関連情報取得モジュール
１２１０    ＣＰＵ
１２２０    ＲＯＭ
１２３０    ネットワークインタフェース
１２４０    ＲＡＭ
１２４１    識別情報
１２４２    物体識別子
１２４３    所有権放棄情報
１２４４    送受信データ
１２４５    入出力データ
１２５０    ストレージ
１２５１    物体識別子抽出アルゴリズム
１２５２    拾得物管理装置制御プログラム
１２５３    拾得情報生成モジュール
１２５４    所有権放棄情報通知モジュール
１４００    拾得物管理システム
１４１０    販売管理装置
１４２０    拾得物管理サーバ
１４２１    拾得物管理データベース
１４３０    拾得物管理装置
１６０２    販売情報受信部
１６０６    所有権放棄判定部
１６０７    保管先通知部
１６２３    移管先取得部
１７１４    移管先情報
１９０３    販売情報取得部
１９０４    販売情報送信部
１９１０    ＰＯＳ端末
１９１１    拾得物管理アプリケーション
１９３３    移管先情報取得部
１９４３    移管先情報送信部
２１０６    所有権放棄情報受信部
２１０７    所有権放棄情報通知部
２１１０    拾得物管理端末
２１１１    拾得物管理アプリケーション
２３１０    販売管理装置
２３１４    日時情報
２３２０    拾得物管理サーバ
２３２１    拾得物管理データベース
２４０２    販売情報受信部
２４０６    所有権放棄判定部
２４２３    開始日時取得部
２７００    拾得物管理システム
２７１０    販売管理装置
２７３０    スマートフォン
２９０７    拾得者指示情報通知部
２９０８    特典情報（ポイント）格納部
２９１１    拾得物管理アプリケーション
２９２１    コネクタ
２９２２    内部カメラ
２９２５    位置算出部
２９７１    指示メッセージ格納部
３０４０    ＲＡＭ
３０４３    処理情報
３０５０    ストレージ
３０５２    スマートフォン制御プログラム
３０５４    指示メッセージ通知モジュール
【図１】
2019111808.tif 000003
【図２Ａ】
2019111808.tif 000004
【図２Ｂ】
2019111808.tif 000005
【図２Ｃ】
2019111808.tif 000006
【図２Ｄ】
2019111808.tif 000007
【図２Ｅ】
2019111808.tif 000008
【図３Ａ】
2019111808.tif 000009
【図３Ｂ】
2019111808.tif 000010
【図４】
2019111808.tif 000011
【図５】
2019111808.tif 000012
【図６】
2019111808.tif 000013
【図７】
2019111808.tif 000014
【図８】
2019111808.tif 000015
【図９】
2019111808.tif 000016
【図１０】
2019111808.tif 000017
【図１１】
2019111808.tif 000018
【図１２】
2019111808.tif 000019
【図１３】
2019111808.tif 000020
【図１４】
2019111808.tif 000021
【図１５】
2019111808.tif 000022
【図１６】
2019111808.tif 000023
【図１７】
2019111808.tif 000024
【図１８】
2019111808.tif 000025
【図１９】
2019111808.tif 000026
【図２０】
2019111808.tif 000027
【図２１】
2019111808.tif 000028
【図２２】
2019111808.tif 000029
【図２３】
2019111808.tif 000030
【図２４】
2019111808.tif 000031
【図２５】
2019111808.tif 000032
【図２６】
2019111808.tif 000033
【図２７】
2019111808.tif 000034
【図２８】
2019111808.tif 000035
【図２９】
2019111808.tif 000036
【図３０】
2019111808.tif 000037
【図３１】
2019111808.tif 000038
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
物体が販売された場合に、前記販売された物体を識別する第１物体識別子と、前記販売された物体を購入者が遺失した場合に前記販売された物体の所有権が放棄されることを示す所有権放棄情報とを取得する販売情報取得手段と、
前記第１物体識別子と前記所有権放棄情報とを対応付けて登録する登録手段と、
拾得された物体を識別する第２物体識別子を取得する拾得情報取得手段と、
前記第２物体識別子と前記第１物体識別子とを照合する照合手段と、
前記第２物体識別子と前記第１物体識別子とが一致した場合に、前記拾得された物体の所有権が放棄されたことを通知する通知手段と、
を備える拾得物管理システム。
【請求項２】
物体が販売された場合に、前記販売された物体を識別する第１物体識別子と、前記販売された物体を購入者が遺失した場合に前記販売された物体の所有権が放棄されることを示す所有権放棄情報とを取得し、
前記第１物体識別子と前記所有権放棄情報とを対応付けて登録手段に登録し、
拾得された物体を識別する第２物体識別子を取得し、
前記第２物体識別子と前記第１物体識別子とを照合し、
前記第２物体識別子と前記第１物体識別子とが一致した場合に、前記拾得された物体の所有権が放棄されたことを通知する、
拾得物管理方法。
【請求項３】
物体が販売された場合に、前記販売された物体を識別する第１物体識別子と、前記販売された物体を購入者が遺失した場合に前記販売された物体の所有権が放棄されることを示す所有権放棄情報とを取得する販売情報取得処理と、
前記第１物体識別子と前記所有権放棄情報とを対応付けて登録する登録処理と、
拾得された物体を識別する第２物体識別子を取得する拾得情報取得処理と、
前記第２物体識別子と前記第１物体識別子とを照合する照合処理と、
前記第２物体識別子と前記第１物体識別子とが一致した場合に、前記拾得された物体の所有権が放棄されたことを通知する通知処理と、
をコンピュータに実行させる拾得物管理プログラム。
【請求項４】
販売された物体を識別する第１物体識別子と、前記販売された物体を購入者が遺失した場合に前記販売された物体の所有権が放棄されることを示す所有権放棄情報とを対応付けて登録する登録手段と、
拾得された物体を識別する第２物体識別子を受信する拾得情報受信手段と、
前記第２物体識別子と前記第１物体識別子とを照合する照合手段と、
前記第２物体識別子と前記第１物体識別子とが一致した場合に、前記拾得された物体の所有権が放棄されたと判定する判定手段と、
を備える情報処理装置。
【請求項５】
販売された物体を識別する第１物体識別子と、前記販売された物体を購入者が遺失した場合に前記販売された物体の所有権が放棄されることを示す所有権放棄情報とを対応付けて登録手段に登録し、
拾得された物体を識別する第２物体識別子を受信し、
前記第２物体識別子と前記第１物体識別子とを照合し、
前記第２物体識別子と前記第１物体識別子とが一致した場合に、前記拾得された物体の所有権が放棄されたと判定する、
情報処理装置の制御方法。
【請求項６】
販売された物体を識別する第１物体識別子と、前記販売された物体を購入者が遺失した場合に前記販売された物体の所有権が放棄されることを示す所有権放棄情報とを対応付けて登録手段に登録する登録処理と、
拾得された物体を識別する第２物体識別子を受信する拾得情報受信処理と、
前記第２物体識別子と前記第１物体識別子とを照合する照合処理と、
前記第２物体識別子と前記第１物体識別子とが一致した場合に、前記拾得された物体の所有権が放棄されたと判定する判定処理と、
をコンピュータに実行させる情報処理プログラム。
【請求項７】
物体が販売された場合に、前記販売された物体を識別する第１物体識別子と、前記販売された物体を購入者が遺失した場合に前記販売された物体の所有権が放棄されることを示す所有権放棄情報とを取得し、
前記第１物体識別子と前記所有権放棄情報とを対応付けて、情報処理装置の登録手段に登録するために前記情報処理装置に送信する、
販売管理装置の制御方法。
【請求項８】
拾得した物体を識別する第２物体識別子を取得する拾得情報取得手段と、
前記第２物体識別子を情報処理装置に送信する拾得情報送信手段と、
前記情報処理装置の登録手段に前記第２物体識別子と一致する販売された物体を識別する第１物体識別子が登録されている場合に前記情報処理装置から通知される、前記拾得した物体の所有権が放棄されることを示す所有権放棄情報を受信する放棄情報受信手段と、
受信した前記所有権放棄情報に基づいて、前記拾得した物体の所有権が放棄されたことを通知する放棄情報通知手段と、
を備える通信端末。
【請求項９】
拾得した物体を識別する第２物体識別子を取得し、
前記第２物体識別子を情報処理装置に送信し、
前記情報処理装置の登録手段に前記第２物体識別子と一致する販売された物体を識別する第１物体識別子が登録されている場合に前記情報処理装置から通知される、前記拾得した物体の所有権が放棄されることを示す所有権放棄情報を受信し、
受信した前記所有権放棄情報に基づいて、前記拾得した物体の所有権が放棄されたことを通知する、
通信端末の制御方法。
【請求項１０】
拾得した物体を識別する第２物体識別子を取得する拾得情報取得処理と、
前記第２物体識別子を情報処理装置に送信する拾得情報送信処理と、
前記情報処理装置の登録手段に前記第２物体識別子と一致する販売された物体を識別する第１物体識別子が登録されている場合に前記情報処理装置から通知される、前記拾得した物体の所有権が放棄されることを示す所有権放棄情報を受信する放棄情報受信処理と、
受信した前記所有権放棄情報に基づいて、前記拾得した物体の所有権が放棄されたことを通知する放棄情報通知処理と、
をコンピュータに実行させる通信端末のアプリケーションプログラム。
【手続補正３】
【補正対象書類名】明細書
【補正対象項目名】００４６
【補正方法】変更
【補正の内容】
【００４６】
なお、所有権放棄情報を設定する物体は、図２Ｂ〜図２Ｄに図示された傘、自転車、本に限定されず、筆記具などを含む共用可能な物体であればよい。例えば、身に付けるメガネや服なども、リサイクル処置を施すことで共用可能となる。さらに、食物なども賞味期限内であれば移管可能なものもある。また、物体識別子は、図２Ｂ〜図２Ｄに限定されず、物体の１つ１つを特定する識別子を生成できるものが使用される。例えば、物体を撮像して抽出した特徴量を使用することも可能である。
【手続補正４】
【補正対象書類名】明細書
【補正対象項目名】００７８
【補正方法】変更
【補正の内容】
【００７８】
ストレージ８５０は、ＣＰＵ８１０が使用する、データベースや各種のパラメータ、あるいは本実施形態の実現に必要な以下のデータまたはプログラムが記憶されている。拾得物管理データベース２２１は、図５に示したように、物体識別子と所有権放棄情報とを対応付けたデータを登録する。ストレージ８５０には、以下のプログラムが格納される。拾得物管理サーバ制御プログラム８５１は、拾得物管理サーバ２２０の全体を制御するプログラムである。販売情報取得モジュール８５２は、物体識別子取得モジュールおよび所有権放棄情報取得モジュールを含み、販売管理装置２１０から販売時の物体に関連する情報を取得して、拾得物管理データベース２２１に登録するモジュールである。拾得情報取得モジュール８５３は物体識別子取得モジュールを含み、拾得物管理装置２３０から拾得物管理時の物体に関連する情報を取得するモジュールである。物体識別子照合モジュール８５４は、拾得物管理装置２３０から取得した物体識別子と、拾得物管理データベース２２１に登録された物体識別子とを照合するモジュールである。所有権放棄判定モジュール８５５は、照合結果で一致する物体識別子があれば、拾得物管理データベース２２１に物体識別子に対応付けて登録されている所有権放棄情報から所有権の放棄を判定するモジュールである。所有権放棄通知モジュール８５６は、拾得物の所有権が放棄されていると判定された場合に、拾得物管理装置２３０に物体識別子に対応する拾得物の所有権が放棄されている旨を通知するモジュールである。
【手続補正５】
【補正対象書類名】明細書
【補正対象項目名】００８８
【補正方法】変更
【補正の内容】
【００８８】
なお、図１０のＲＡＭ１０４０やストレージ１０５０には、ＰＯＳ端末などの販売管理装置２１０が有する汎用の機能や他の実現可能な機能に関連するプログラムやデータは図示されていない。
【手続補正６】
【補正対象書類名】明細書
【補正対象項目名】０１６３
【補正方法】変更
【補正の内容】
【０１６３】
拾得者指示情報通知部２９０７は、指示メッセージ格納部２９７１を有し、拾得物管理サーバ１４２０からの拾得物の物体識別子に対応する、所有権放棄情報および／または移管先情報の受信に基づいて、対応する拾得者指示メッセージの表示などの通知をする。特典情報（ポイント）格納部２９０８は、販売物体の購入時の所有権放棄設定や、拾得物の問い合わせなどの特典情報取得を格納する。
【手続補正７】
【補正対象書類名】明細書
【補正対象項目名】０１７２
【補正方法】変更
【補正の内容】
【０１７２】
［実施形態の他の表現］
上記の実施形態の一部または全部は、以下の付記のようにも記載されうるが、以下には限られない。
（付記１）
物体が販売された場合に、前記販売された物体を識別する第１物体識別子と、前記販売された物体を購入者が遺失した場合に前記販売された物体の所有権が放棄されることを示す所有権放棄情報とを取得する販売情報取得手段と、
前記第１物体識別子と前記所有権放棄情報とを対応付けて登録する登録手段と、
拾得された物体を識別する第２物体識別子を取得する拾得情報取得手段と、
前記第２物体識別子と前記第１物体識別子とを照合する照合手段と、
前記第２物体識別子と前記第１物体識別子とが一致した場合に、前記拾得された物体の所有権が放棄されたことを通知する通知手段と、
を備える拾得物管理システム。
（付記２）
物体が販売された場合に、前記販売された物体を識別する第１物体識別子と、前記販売された物体を購入者が遺失した場合に前記販売された物体の所有権が放棄されることを示す所有権放棄情報とを取得し、
前記第１物体識別子と前記所有権放棄情報とを対応付けて登録手段に登録し、
拾得された物体を識別する第２物体識別子を取得し、
前記第２物体識別子と前記第１物体識別子とを照合し、
前記第２物体識別子と前記第１物体識別子とが一致した場合に、前記拾得された物体の所有権が放棄されたことを通知する、
拾得物管理方法。
（付記３）
物体が販売された場合に、前記販売された物体を識別する第１物体識別子と、前記販売された物体を購入者が遺失した場合に前記販売された物体の所有権が放棄されることを示す所有権放棄情報とを取得する販売情報取得処理と、
前記第１物体識別子と前記所有権放棄情報とを対応付けて登録する登録処理と、
拾得された物体を識別する第２物体識別子を取得する拾得情報取得処理と、
前記第２物体識別子と前記第１物体識別子とを照合する照合処理と、
前記第２物体識別子と前記第１物体識別子とが一致した場合に、前記拾得された物体の所有権が放棄されたことを通知する通知処理と、
をコンピュータに実行させる拾得物管理プログラムを記憶する記憶媒体。
（付記４）
販売された物体を識別する第１物体識別子と、前記販売された物体を購入者が遺失した場合に前記販売された物体の所有権が放棄されることを示す所有権放棄情報とを対応付けて登録する登録手段と、
拾得された物体を識別する第２物体識別子を受信する拾得情報受信手段と、
前記第２物体識別子と前記第１物体識別子とを照合する照合手段と、
前記第２物体識別子と前記第１物体識別子とが一致した場合に、前記拾得された物体の所有権が放棄されたと判定する判定手段と、
を備える情報処理装置。
（付記５）
前記登録手段は、さらに、前記第１物体識別子に対応付けて、前記所有権が放棄された場合に前記拾得された物体を移管する移管先を登録し、
前記所有権が放棄された前記拾得された物体の前記移管先への移管を指示する指示手段
をさらに備える付記４に記載の情報処理装置。
（付記６）
前記移管先は、前記拾得された物体を寄付する寄付先と、前記拾得された物体を共用する公共施設と、前記拾得された物体を製造した製造元あるいは販売した販売元と、前記拾得された物体をリサイクルするリサイクル業者と、前記拾得された物体をレンタルするレンタル業者と、を含む
付記５に記載の情報処理装置。
（付記７）
前記購入者による前記販売された物体の購入時に、前記第１物体識別子と前記所有権放棄情報とを物体の販売管理装置から受信する販売情報受信手段と、
前記所有権放棄情報を取得した場合に、前記購入者に特典情報を送信する特典情報送信手段と、
をさらに備える付記４乃至６のいずれか１項に記載の情報処理装置。
（付記８）
前記第１物体識別子および前記第２物体識別子は、前記物体に筆記具で記載された点から抽出された点識別子、前記物体に添付されたバーコードを含むコード識別子、または、前記物体の撮像画像から抽出した特徴点識別子である
付記４乃至７のいずれか１項に記載の情報処理装置。
（付記９）
前記登録手段は、さらに、前記第１物体識別子に、前記所有権の放棄を開始する日時を対応付けて登録し、
前記判定手段は、前記第２物体識別子と前記第１物体識別子とが一致し、かつ、前記拾得された物体の拾得日時が前記所有権の放棄を開始する日時以降の場合に、前記拾得された物体の所有権が放棄されたと判定する
付記４乃至８のいずれか１項に記載の情報処理装置。
（付記１０）
販売された物体を識別する第１物体識別子と、前記販売された物体を購入者が遺失した場合に前記販売された物体の所有権が放棄されることを示す所有権放棄情報とを対応付けて登録手段に登録し、
拾得された物体を識別する第２物体識別子を受信し、
前記第２物体識別子と前記第１物体識別子とを照合し、
前記第２物体識別子と前記第１物体識別子とが一致した場合に、前記拾得された物体の所有権が放棄されたと判定する、
情報処理装置の制御方法。
（付記１１）
さらに、前記第１物体識別子に対応付けて、前記所有権が放棄された場合に前記拾得された物体を移管する移管先を登録し、
前記所有権が放棄された前記拾得された物体の前記移管先への移管を指示する、
付記１０に記載の制御方法。
（付記１２）
前記移管先は、前記拾得された物体を寄付する寄付先と、前記拾得された物体を共用する公共施設と、前記拾得された物体を製造した製造元あるいは販売した販売元と、前記拾得された物体をリサイクルするリサイクル業者と、前記拾得された物体をレンタルするレンタル業者と、を含む
付記１１に記載の制御方法。
（付記１３）
前記購入者による前記販売された物体の購入時に、前記第１物体識別子と前記所有権放棄情報とを物体の販売管理装置から受信し、
前記所有権放棄情報を取得した場合に、前記購入者に特典情報を送信する、
付記１０乃至１２のいずれか１項に記載の制御方法。
（付記１４）
前記第１物体識別子および前記第２物体識別子は、前記物体に筆記具で記載された点から抽出された点識別子、前記物体に添付されたバーコードを含むコード識別子、または、前記物体の撮像画像から抽出した特徴点識別子である
付記１０乃至１３のいずれか１項に記載の制御方法。
（付記１５）
さらに、前記第１物体識別子に、前記所有権の放棄を開始する日時を対応付けて登録し、
前記第２物体識別子と前記第１物体識別子とが一致し、かつ、前記拾得された物体の拾得日時が前記所有権の放棄を開始する日時以降の場合に、前記拾得された物体の所有権が放棄されたと判定する
付記１０乃至１４のいずれか１項に記載の制御方法。
（付記１６）
販売された物体を識別する第１物体識別子と、前記販売された物体を購入者が遺失した場合に前記販売された物体の所有権が放棄されることを示す所有権放棄情報とを対応付けて登録手段に登録する登録処理と、
拾得された物体を識別する第２物体識別子を受信する拾得情報受信処理と、
前記第２物体識別子と前記第１物体識別子とを照合する照合処理と、
前記第２物体識別子と前記第１物体識別子とが一致した場合に、前記拾得された物体の所有権が放棄されたと判定する判定処理と、
をコンピュータに実行させる情報処理プログラムを記憶する記憶媒体。
（付記１７）
前記登録処理は、さらに、前記第１物体識別子に対応付けて、前記所有権が放棄された場合に前記拾得された物体を移管する移管先を登録し、
前記情報処理プログラムは、
前記所有権が放棄された前記拾得された物体の前記移管先への移管を指示する指示処理
をコンピュータにさらに実行させる付記１６に記載の記憶媒体。
（付記１８）
前記移管先は、前記拾得された物体を寄付する寄付先と、前記拾得された物体を共用する公共施設と、前記拾得された物体を製造した製造元あるいは販売した販売元と、前記拾得された物体をリサイクルするリサイクル業者と、前記拾得された物体をレンタルするレンタル業者と、を含む
付記１７に記載の記憶媒体。
（付記１９）
前記情報処理プログラムは、
前記購入者による前記販売された物体の購入時に、前記第１物体識別子と前記所有権放棄情報とを物体の販売管理装置から受信する販売情報受信処理と、
前記所有権放棄情報を取得した場合に、前記購入者に特典情報を送信する特典情報送信処理と、
をコンピュータにさらに実行させる付記１６乃至１８のいずれか１項に記載の記憶媒体。
（付記２０）
前記第１物体識別子および前記第２物体識別子は、前記物体に筆記具で記載された点から抽出された点識別子、前記物体に添付されたバーコードを含むコード識別子、または、前記物体の撮像画像から抽出した特徴点識別子である
付記１６乃至１９のいずれか１項に記載の記憶媒体。
（付記２１）
前記登録処理は、さらに、前記第１物体識別子に、前記所有権の放棄を開始する日時を対応付けて登録し、
前記判定処理は、前記第２物体識別子と前記第１物体識別子とが一致し、かつ、前記拾得された物体の拾得日時が前記所有権の放棄を開始する日時以降の場合に、前記拾得された物体の所有権が放棄されたと判定する
付記１６乃至２０のいずれか１項に記載の記憶媒体。
（付記２２）
物体が販売された場合に、前記販売された物体を識別する第１物体識別子と、前記販売された物体を購入者が遺失した場合に前記販売された物体の所有権が放棄されることを示す所有権放棄情報とを取得する販売情報取得手段と、
前記第１物体識別子と前記所有権放棄情報とを対応付けて、情報処理装置の登録手段に登録するために前記情報処理装置に送信する販売情報送信手段と、
を備える販売管理装置。
（付記２３）
前記所有権放棄情報が設定された場合に、前記販売された物体の購入者に特典情報を付与する付与手段
をさらに備える付記２２に記載の販売管理装置。
（付記２４）
前記販売情報取得手段は、さらに、前記所有権が放棄された場合に前記販売された物体を移管する移管先を取得し、
前記販売情報送信手段は、さらに、前記第１物体識別子に対応付けて前記移管先を前記情報処理装置に送信する
付記２２または２３に記載の販売管理装置。
（付記２５）
前記移管先は、拾得された物体を寄付する寄付先と、前記拾得された物体を共用する公共施設と、前記拾得された物体を製造した製造元あるいは販売した販売元と、前記拾得された物体をリサイクルするリサイクル業者と、前記拾得された物体をレンタルするレンタル業者と、を含む
付記２４に記載の販売管理装置。
（付記２６）
前記第１物体識別子は、前記販売された物体に筆記具で記載された点から抽出された点識別子、前記販売された物体に添付されたバーコードを含むコード識別子、または、前記販売された物体の撮像画像から抽出した特徴点識別子である
付記２２乃至２５のいずれか１項に記載の販売管理装置。
（付記２７）
前記販売情報取得手段は、
前記販売された物体に筆記具で記載された点を撮像する撮像手段と、
前記撮像された点から点識別子を抽出する抽出手段と、
前記抽出された点識別子に対応付けて、前記所有権放棄情報の入力を受け付ける入力手段と、
を有する付記２２乃至２６のいずれか１項に記載の販売管理装置。
（付記２８）
前記販売情報取得手段は、さらに、前記所有権の放棄を開始する日時を取得し、
前記販売情報送信手段は、さらに、前記第１物体識別子に対応付けて前記日時を前記情報処理装置に送信する
付記２２乃至２７のいずれか１項に記載の販売管理装置。
（付記２９）
前記販売管理装置は、ＰＯＳ(point of sale system)端末を含む
付記２２乃至２８のいずれか１項に記載の販売管理装置。
（付記３０）
物体が販売された場合に、前記販売された物体を識別する第１物体識別子と、前記販売された物体を購入者が遺失した場合に前記販売された物体の所有権が放棄されることを示す所有権放棄情報とを取得し、
前記第１物体識別子と前記所有権放棄情報とを対応付けて、情報処理装置の登録手段に登録するために前記情報処理装置に送信する、
販売管理装置の制御方法。
（付記３１）
前記所有権放棄情報が設定された場合に、前記販売された物体の購入者に特典情報を付与する
付記３０に記載の制御方法。
（付記３２）
さらに、前記所有権が放棄された場合に前記販売された物体を移管する移管先を取得し、
さらに、前記第１物体識別子に対応付けて前記移管先を前記情報処理装置に送信する
付記３０または３１に記載の制御方法。
（付記３３）
前記移管先は、拾得された物体を寄付する寄付先と、前記拾得された物体を共用する公共施設と、前記拾得された物体を製造した製造元あるいは販売した販売元と、前記拾得された物体をリサイクルするリサイクル業者と、前記拾得された物体をレンタルするレンタル業者と、を含む
付記３２に記載の制御方法。
（付記３４）
前記第１物体識別子は、前記販売された物体に筆記具で記載された点から抽出された点識別子、前記販売された物体に添付されたバーコードを含むコード識別子、または、前記販売された物体の撮像画像から抽出した特徴点識別子である
付記３０乃至３３のいずれか１項に記載の制御方法。
（付記３５）
前記販売された物体に筆記具で記載された点を撮像し、
前記撮像された点から点識別子を抽出し、
前記抽出された点識別子に対応付けて、前記所有権放棄情報の入力を受け付ける、
付記３０乃至３４いずれか１項に記載の制御方法。
（付記３６）
さらに、前記所有権の放棄を開始する日時を取得し、
さらに、前記第１物体識別子に対応付けて前記日時を前記情報処理装置に送信する
付記３０乃至３５のいずれか１項に記載の制御方法。
（付記３７）
前記販売管理装置は、ＰＯＳ(point of sale system)端末を含む
付記３０乃至３６のいずれか１項に記載の制御方法。
（付記３８）
物体が販売された場合に、前記販売された物体を識別する第１物体識別子と、前記販売された物体を購入者が遺失した場合に前記販売された物体の所有権が放棄されることを示す所有権放棄情報とを取得する販売情報取得処理と、
前記第１物体識別子と前記所有権放棄情報とを対応付けて、情報処理装置の登録手段に登録するために前記情報処理装置に送信する販売情報送信処理と、
をコンピュータに実行させる販売管理装置の制御プログラムを記憶する記憶媒体。
（付記３９）
前記制御プログラムは、
前記所有権放棄情報が設定された場合に、前記販売された物体の購入者に特典情報を付与する付与処理
をコンピュータにさらに実行させる付記３８に記載の記憶媒体。
（付記４０）
前記販売情報取得処理は、さらに、前記所有権が放棄された場合に前記販売された物体を移管する移管先を取得し、
前記販売情報送信処理は、さらに、前記第１物体識別子に対応付けて前記移管先を前記情報処理装置に送信する
付記３８または３９に記載の記憶媒体。
（付記４１）
前記移管先は、拾得された物体を寄付する寄付先と、前記拾得された物体を共用する公共施設と、前記拾得された物体を製造した製造元あるいは販売した販売元と、前記拾得された物体をリサイクルするリサイクル業者と、前記拾得された物体をレンタルするレンタル業者と、を含む
付記４０に記載の記憶媒体。
（付記４２）
前記第１物体識別子は、前記販売された物体に筆記具で記載された点から抽出された点識別子、前記販売された物体に添付されたバーコードを含むコード識別子、または、前記販売された物体の撮像画像から抽出した特徴点識別子である
付記３８乃至４１のいずれか１項に記載の記憶媒体。
（付記４３）
前記販売情報取得処理は、
前記販売された物体に筆記具で記載された点を撮像する撮像処理と、
前記撮像された点から点識別子を抽出する抽出処理と、
前記抽出された点識別子に対応付けて、前記所有権放棄情報の入力を受け付ける入力処理と、
を有する
付記３８乃至４２のいずれか１項に記載の記憶媒体。
（付記４４）
前記販売情報取得処理は、さらに、前記所有権の放棄を開始する日時を取得し、
前記販売情報送信処理は、さらに、前記第１物体識別子に対応付けて前記日時を前記情報処理装置に送信する
付記３８乃至４３のいずれか１項に記載の記憶媒体。
（付記４５）
前記販売管理装置は、ＰＯＳ(point of sale system)端末を含む
付記３８乃至４４のいずれか１項に記載の記憶媒体。
（付記４６）
拾得した物体を識別する第２物体識別子を取得する拾得情報取得手段と、
前記第２物体識別子を情報処理装置に送信する拾得情報送信手段と、
前記情報処理装置の登録手段に前記第２物体識別子と一致する販売された物体を識別する第１物体識別子が登録されている場合に前記情報処理装置から通知される、前記拾得した物体の所有権が放棄されることを示す所有権放棄情報を受信する放棄情報受信手段と、
受信した前記所有権放棄情報に基づいて、前記拾得した物体の所有権が放棄されたことを通知する放棄情報通知手段と、
を備える通信端末。
（付記４７）
前記放棄情報受信手段は、前記所有権放棄情報と共に、前記物体の移管先を示す移管先情報を受信し、
前記放棄情報通知手段は、さらに、前記物体の移管先を通知する
付記４６に記載の通信端末。
（付記４８）
前記第１物体識別子および前記第２物体識別子は、前記物体に筆記具で記載された点から抽出された点識別子、前記物体に添付されたバーコードを含むコード識別子、または、前記物体の撮像画像から抽出した特徴点識別子である
付記４６または４７に記載の通信端末。
（付記４９）
前記拾得情報取得手段は、
前記拾得した物体に筆記具で記載された点を撮像する撮像手段と、
前記撮像された点から点識別子を抽出する抽出手段と、
を有する
付記４６乃至４８のいずれか１項に記載の通信端末。
（付記５０）
前記通信端末は、前記拾得した物体を取り扱う拾得物取扱所の通信端末、または、スマートフォンを含む通信端末である
付記４６乃至４９のいずれか１項に記載の通信端末。
（付記５１）
前記通信端末は、スマートフォンを含む通信端末であって、
前記第２物体識別子の送信、または、前記拾得した物体の移管先への移管に対する特典情報を取得する特典情報取得手段を、さらに備える
付記４８に記載の通信端末。
（付記５２）
拾得した物体を識別する第２物体識別子を取得し、
前記第２物体識別子を情報処理装置に送信し、
前記情報処理装置の登録手段に前記第２物体識別子と一致する販売された物体を識別する第１物体識別子が登録されている場合に前記情報処理装置から通知される、前記拾得した物体の所有権が放棄されることを示す所有権放棄情報を受信し、
受信した前記所有権放棄情報に基づいて、前記拾得した物体の所有権が放棄されたことを通知する、
通信端末の制御方法。
（付記５３）
前記所有権放棄情報と共に、前記物体の移管先を示す移管先情報を受信し、
さらに、前記物体の移管先を通知する
付記５２に記載の制御方法。
（付記５４）
前記第１物体識別子および前記第２物体識別子は、前記物体に筆記具で記載された点から抽出された点識別子、前記物体に添付されたバーコードを含むコード識別子、または、前記物体の撮像画像から抽出した特徴点識別子である
付記５２または５３に記載の制御方法。
（付記５５）
前記拾得した物体に筆記具で記載された点を撮像し、
前記撮像された点から点識別子を抽出する、
付記５２乃至５４のいずれか１項に記載の制御方法。
（付記５６）
前記通信端末は、前記拾得した物体を取り扱う拾得物取扱所の通信端末、または、スマートフォンを含む通信端末である
付記５２乃至５５のいずれか１項に記載の制御方法。
（付記５７）
前記通信端末は、スマートフォンを含む通信端末であって、
前記第２物体識別子の送信、または、前記拾得した物体の移管先への移管に対する特典情報を取得する
付記５４に記載の制御方法。
（付記５８）
拾得した物体を識別する第２物体識別子を取得する拾得情報取得処理と、
前記第２物体識別子を情報処理装置に送信する拾得情報送信処理と、
前記情報処理装置の登録手段に前記第２物体識別子と一致する販売された物体を識別する第１物体識別子が登録されている場合に前記情報処理装置から通知される、前記拾得した物体の所有権が放棄されることを示す所有権放棄情報を受信する放棄情報受信処理と、
受信した前記所有権放棄情報に基づいて、前記拾得した物体の所有権が放棄されたことを通知する放棄情報通知処理と、
をコンピュータに実行させる通信端末のアプリケーションプログラムを記憶する記憶媒体。
（付記５９）
前記放棄情報受信処理においては、前記所有権放棄情報と共に、前記物体の移管先を示す移管先情報を受信し、
前記放棄情報通知処理においては、さらに、前記物体の移管先を通知する
付記５８に記載の記憶媒体。
（付記６０）
前記第１物体識別子および前記第２物体識別子は、前記物体に筆記具で記載された点から抽出された点識別子、前記物体に添付されたバーコードを含むコード識別子、または、前記物体の撮像画像から抽出した特徴点識別子である
付記５８または５９に記載の記憶媒体。
（付記６１）
前記拾得情報取得処理は、
前記拾得した物体に筆記具で記載された点を撮像手段で撮像する撮像処理と、
前記撮像された点から点識別子を抽出する抽出処理と、
を含む
付記５８乃至６０のいずれか１項に記載の記憶媒体。
（付記６２）
前記通信端末は、前記拾得した物体を取り扱う拾得物取扱所の通信端末、または、スマートフォンを含む通信端末である
付記５８乃至６１のいずれか１項に記載の記憶媒体。
（付記６３）
前記通信端末は、スマートフォンを含む通信端末であって、
前記アプリケーションプログラムは、
前記第２物体識別子の送信、または、前記拾得した物体の移管先への移管に対応する特典情報を取得する特典情報取得処理
をさらにコンピュータに実行させる付記５９に記載の記憶媒体。
【手続補正８】
【補正対象書類名】図面
【補正対象項目名】図１８
【補正方法】変更
【補正の内容】
【図１８】
2019111808.tif 000039
【手続補正９】
【補正対象書類名】図面
【補正対象項目名】図１９
【補正方法】変更
【補正の内容】
【図１９】
2019111808.tif 000040
【手続補正１０】
【補正対象書類名】図面
【補正対象項目名】図２２
【補正方法】変更
【補正の内容】
【図２２】
2019111808.tif 000041
【手続補正１１】
【補正対象書類名】図面
【補正対象項目名】図２６
【補正方法】変更
【補正の内容】
【図２６】
2019111808.tif 000042
【手続補正１２】
【補正対象書類名】図面
【補正対象項目名】図３０
【補正方法】変更
【補正の内容】
【図３０】
2019111808.tif 000043
【手続補正１３】
【補正対象書類名】図面
【補正対象項目名】図３１
【補正方法】変更
【補正の内容】
【図３１】
2019111808.tif 000044
【国際調査報告】
2019111808.tif 000045
2019111808.tif 000046
2019111808.tif 000047